(57)【特許請求の範囲】
【請求項１】
表示部と、
前記表示部に隣接して配置される回転式の操作ダイヤルと、
前記操作ダイヤルへの指の接触又は近接を検出する検出部と、
前記表示部の表示を制御する表示制御部と、
を備え、
前記表示制御部は、カメラの設定内容を前記表示部に表示し、
前記操作ダイヤルへの指の接触又は近接が検出された場合は、前記操作ダイヤルのイメージ画像を第１のサイズで前記表示部に出現させ、
前記操作ダイヤルへの指の接触又は近接が一定時間以上継続して検出された場合、あるいは、前記操作ダイヤルが操作された場合は、前記表示部に出現させた前記操作ダイヤルのイメージ画像を第２のサイズまで拡大させて表示する、
カメラ。
【請求項２】
前記表示制御部は、あらかじめ基点となるマークを前記表示部に表示し、
前記操作ダイヤルへの指の接触又は近接が検出された場合は、前記マークを基点に前記操作ダイヤルのイメージ画像を拡大させて、前記表示部に前記第１のサイズで出現させる、
請求項１に記載のカメラ。
【請求項３】
表示部と、
前記表示部に隣接して配置される回転式の操作ダイヤルと、
前記操作ダイヤルへの指の接触又は近接を検出する検出部と、
前記表示部の表示を制御する表示制御部と、
前記操作ダイヤルをロックするロック部と、
を備え、
前記表示制御部は、カメラの設定内容を前記表示部に表示し、
前記操作ダイヤルのロックが解除された場合は、前記操作ダイヤルのイメージ画像を第１のサイズで前記表示部に出現させ、
前記操作ダイヤルのロックが解除された状態で前記操作ダイヤルへの指の接触又は近接が検出された場合は、前記表示部に出現させた前記操作ダイヤルのイメージ画像を第２のサイズまで拡大させて表示する、
カメラ。
【請求項４】
前記表示制御部は、あらかじめ基点となるマークを前記表示部に表示し、
前記操作ダイヤルのロックが解除された場合は、前記マークを基点に前記操作ダイヤルのイメージ画像を拡大させて、前記表示部に前記第１のサイズで出現させる、
請求項３に記載のカメラ。
【請求項５】
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記第２のサイズまで拡大して表示されると、前記カメラボディから露出した前記操作ダイヤルの外周の一部を延長した円弧状の外形形状を有する画像で構成される、
請求項１から４のいずれか１項に記載のカメラ。
【請求項６】
前記表示制御部は、
前記操作ダイヤルのイメージ画像を第２のサイズまで拡大させて表示する場合、前記操作ダイヤルのイメージ画像を徐々に拡大させて表示し、
拡大中に前記操作ダイヤルへの指の接触又は近接が検出されなくなった場合、前記操作ダイヤルのイメージ画像の表示を消去、又は、第１のサイズまで徐々に縮小させる、
請求項１から５のいずれか１項に記載のカメラ。
【請求項７】
表示部と、
前記表示部に隣接して配置される回転式の操作ダイヤルと、
前記操作ダイヤルへの指の接触又は近接を検出する検出部と、
前記表示部の表示を制御する表示制御部と、
を備え、
前記表示制御部は、カメラの設定内容を前記表示部に表示し、
前記操作ダイヤルへの指の接触又は近接が検出された場合は、前記操作ダイヤルのイメージ画像を第１の表示量で前記表示部の縁から出現させ、
前記操作ダイヤルへの指の接触又は近接が一定時間以上継続して検出された場合、あるいは、前記操作ダイヤルが操作された場合は、前記第１の表示量で前記表示部の縁から出現させた前記操作ダイヤルのイメージ画像を前記第１の表示量よりも多い第２の表示量で表示する、
カメラ。
【請求項８】
表示部と、
前記表示部に隣接して配置される回転式の操作ダイヤルと、
前記操作ダイヤルへの指の接触又は近接を検出する検出部と、
前記表示部の表示を制御する表示制御部と、
前記操作ダイヤルをロックするロック部と、
を備え、
前記表示制御部は、カメラの設定内容を前記表示部に表示し、
前記操作ダイヤルのロックが解除された場合は、前記操作ダイヤルのイメージ画像を第１の表示量で前記表示部の縁から出現させ、
前記操作ダイヤルのロックが解除された状態で前記操作ダイヤルへの指の接触又は近接が検出された場合は、前記第１の表示量で前記表示部の縁から出現させた前記操作ダイヤルのイメージ画像を前記第１の表示量よりも多い第２の表示量で表示する、
カメラ。
【請求項９】
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記第２の表示量で表示されると、前記カメラボディから露出した前記操作ダイヤルの外周の一部を延長した円弧状の外形形状を有する画像で構成される、
請求項７又は８に記載のカメラ。
【請求項１０】
前記表示制御部は、
前記操作ダイヤルのイメージ画像を第２の表示量で表示する場合、前記操作ダイヤルのイメージ画像を前記表示部の縁から徐々に進出させて表示し、
進出中に前記操作ダイヤルへの指の接触又は近接が検出されなくなった場合、前記操作ダイヤルのイメージ画像の表示を消去、又は、第１の表示量まで徐々に退避させる、
請求項７から９のいずれか１項に記載のカメラ。
【請求項１１】
前記カメラの設定内容は、前記操作ダイヤルによって設定される項目の設定値の情報を含み、
前記操作ダイヤルのイメージ画像を表示する場合、前記表示制御部は、前記操作ダイヤルによって設定される項目の設定値の情報を除いて前記カメラの設定内容を前記表示部に表示する、
請求項１から１０のいずれか１項に記載のカメラ。
【請求項１２】
前記操作ダイヤルのイメージ画像を表示する場合、前記表示制御部は、前記カメラの設定内容の表示レイアウトを変更して、前記カメラの設定内容が前記操作ダイヤルのイメージ画像と重なって表示されるのを回避する、
請求項１から１１のいずれか１項に記載のカメラ。
【請求項１３】
表示部と、
前記表示部に隣接して配置される回転式の操作ダイヤルと、
前記操作ダイヤルへの指の接触又は近接を検出する検出部と、
前記表示部の表示を制御する表示制御部と、
を備え、
前記表示制御部は、カメラの設定内容、及び、前記操作ダイヤルのイメージ画像を前記表示部に表示し、かつ、前記検出部の検出結果に応じて、前記操作ダイヤルのイメージ画像の表示形態を切り替え、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルへの指の接触又は近接が検出されていない場合の表示形態が、円弧状の外形形状を有する前記画像の内部に現在の設定値を表示した形態であり、
前記操作ダイヤルへの指の接触又は近接が検出されている場合の表示形態が、円弧状の外形形状を有する前記画像の内部に選択可能な設定値を同一円周上に一定ピッチで表示した形態である、
カメラ。
【請求項１４】
表示部と、
前記表示部に隣接して配置される回転式の操作ダイヤルと、
前記操作ダイヤルへの指の接触又は近接を検出する検出部と、
前記表示部の表示を制御する表示制御部と、
を備え、
前記表示制御部は、カメラの設定内容、及び、前記操作ダイヤルのイメージ画像を前記表示部に表示し、かつ、前記検出部の検出結果に応じて、前記操作ダイヤルのイメージ画像の表示形態を切り替え、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルへの指の接触又は近接が検出されていない場合の表示形態が、円弧状の外形形状を有する前記画像の内部に現在の設定値を静止させて表示した形態であり、
前記操作ダイヤルへの指の接触又は近接が検出されている場合の表示形態が、円弧状の外形形状を有する前記画像の内部に現在の設定値を点滅させて表示した形態である、
カメラ。
【請求項１５】
表示部と、
前記表示部に隣接して配置される回転式の操作ダイヤルと、
前記表示部の表示を制御する表示制御部と、
を備え、
前記表示制御部は、カメラの設定内容、及び、前記操作ダイヤルのイメージ画像を前記表示部に表示し、かつ、前記操作ダイヤルの操作に応じて、前記操作ダイヤルのイメージ画像の表示形態を切り替え、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルが操作されていない場合の表示形態が、円弧状の外形形状を有する前記画像の内部に現在の設定値を表示した形態であり、
前記操作ダイヤルが操作されている場合の表示形態が、円弧状の外形形状を有する前記画像の内部に選択可能な設定値を同一円周上に一定ピッチで表示した形態である、
カメラ。
【請求項１６】
表示部と、
前記表示部に隣接して配置される回転式の操作ダイヤルと、
前記表示部の表示を制御する表示制御部と、
を備え、
前記表示制御部は、カメラの設定内容、及び、前記操作ダイヤルのイメージ画像を前記表示部に表示し、かつ、前記操作ダイヤルの操作に応じて、前記操作ダイヤルのイメージ画像の表示形態を切り替え、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルが操作されていない場合の表示形態が、円弧状の外形形状を有する前記画像の内部に現在の設定値を静止させて表示した形態であり、
前記操作ダイヤルが操作されている場合の表示形態が、円弧状の外形形状を有する前記画像の内部に現在の設定値を点滅させて表示した形態である、
カメラ。
【請求項１７】
前記操作ダイヤルの操作対象を設定する操作対象設定部を備え、
前記表示制御部は、前記操作対象設定部で設定された操作対象に応じたイメージ画像を前記表示部に表示する、
請求項１から１６のいずれか１項に記載のカメラ。
【請求項１８】
操作ダイヤルに隣接して配置される表示部にカメラの設定内容を表示し、
前記操作ダイヤルへの指の接触又は近接が検出された場合は、前記操作ダイヤルのイメージ画像を第１のサイズで前記表示部に出現させ、
前記操作ダイヤルへの指の接触又は近接が一定時間以上継続して検出された場合、あるいは、前記操作ダイヤルが操作された場合は、前記表示部に出現させた前記操作ダイヤルのイメージ画像を第２のサイズまで拡大させて表示する、
カメラの表示制御方法。
【請求項１９】
操作ダイヤルに隣接して配置される表示部にカメラの設定内容を表示し、
前記操作ダイヤルのロックが解除された場合は、前記操作ダイヤルのイメージ画像を第１のサイズで前記表示部に出現させ、
前記操作ダイヤルのロックが解除された状態で前記操作ダイヤルへの指の接触又は近接が検出された場合は、前記表示部に出現させた前記操作ダイヤルのイメージ画像を第２のサイズまで拡大させて表示する、
カメラの表示制御方法。
【請求項２０】
操作ダイヤルに隣接して配置される表示部にカメラの設定内容を表示し、
前記操作ダイヤルへの指の接触又は近接が検出された場合は、前記操作ダイヤルのイメージ画像を第１の表示量で前記表示部の縁から出現させ、
前記操作ダイヤルへの指の接触又は近接が一定時間以上継続して検出された場合、あるいは、前記操作ダイヤルが操作された場合は、前記第１の表示量で前記表示部の縁から出現させた前記操作ダイヤルのイメージ画像を前記第１の表示量よりも多い第２の表示量で表示する、
カメラの表示制御方法。
【請求項２１】
操作ダイヤルに隣接して配置される表示部にカメラの設定内容を表示し、
前記操作ダイヤルのロックが解除された場合は、前記操作ダイヤルのイメージ画像を第１の表示量で前記表示部の縁から出現させ、
前記操作ダイヤルのロックが解除された状態で前記操作ダイヤルへの指の接触又は近接が検出された場合は、前記第１の表示量で前記表示部の縁から出現させた前記操作ダイヤルのイメージ画像を前記第１の表示量よりも多い第２の表示量で表示する、
カメラの表示制御方法。
【請求項２２】
操作ダイヤルに隣接して配置される表示部にカメラの設定内容、及び、前記操作ダイヤルのイメージ画像を表示し、
前記操作ダイヤルへの指の接触又は近接を検出し、
前記操作ダイヤルへの指の接触又は近接が検出されている場合と検出されていない場合とで前記操作ダイヤルのイメージ画像の表示形態を切り替える、
カメラの表示制御方法であって、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルへの指の接触又は近接が検出されていない場合の表示形態が、円弧状の外形形状を有する前記画像の内部に現在の設定値を表示した形態であり、
前記操作ダイヤルへの指の接触又は近接が検出されている場合の表示形態が、円弧状の外形形状を有する前記画像の内部に選択可能な設定値を同一円周上に一定ピッチで表示した形態である、
カメラの表示制御方法。
【請求項２３】
操作ダイヤルに隣接して配置される表示部にカメラの設定内容、及び、前記操作ダイヤルのイメージ画像を表示し、
前記操作ダイヤルへの指の接触又は近接を検出し、
前記操作ダイヤルへの指の接触又は近接が検出されている場合と検出されていない場合とで前記操作ダイヤルのイメージ画像の表示形態を切り替える、
カメラの表示制御方法であって、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルへの指の接触又は近接が検出されていない場合の表示形態が、円弧状の外形形状を有する前記画像の内部に現在の設定値を静止させて表示した形態であり、
前記操作ダイヤルへの指の接触又は近接が検出されている場合の表示形態が、円弧状の外形形状を有する前記画像の内部に現在の設定値を点滅させて表示した形態である、
カメラの表示制御方法。
【請求項２４】
操作ダイヤルに隣接して配置される表示部にカメラの設定内容、及び、前記操作ダイヤルのイメージ画像を表示し、
前記操作ダイヤルが操作されている場合と操作されていない場合とで前記操作ダイヤルのイメージ画像の表示形態を切り替える、
カメラの表示制御方法であって、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルが操作されていない場合の表示形態が、円弧状の外形形状を有する前記画像の内部に現在の設定値を表示した形態であり、
前記操作ダイヤルが操作されている場合の表示形態が、円弧状の外形形状を有する前記画像の内部に選択可能な設定値を同一円周上に一定ピッチで表示した形態である、
カメラの表示制御方法。
【請求項２５】
操作ダイヤルに隣接して配置される表示部にカメラの設定内容、及び、前記操作ダイヤルのイメージ画像を表示し、
前記操作ダイヤルが操作されている場合と操作されていない場合とで前記操作ダイヤルのイメージ画像の表示形態を切り替える、
カメラの表示制御方法であって、
前記操作ダイヤルは、カメラボディに内蔵され、外周の一部が前記カメラボディの外表面に露出して配置され、
前記表示部は、前記操作ダイヤルに重ねて配置され、
前記操作ダイヤルのイメージ画像は、前記カメラボディから露出した前記操作ダイヤルの外周の一部を延長した円弧状の外形形状を有する画像で構成され、
前記操作ダイヤルが操作されていない場合の表示形態が、円弧状の外形形状を有する前記画像の内部に現在の設定値を静止させて表示した形態であり、
前記操作ダイヤルが操作されている場合の表示形態が、円弧状の外形形状を有する前記画像の内部に現在の設定値を点滅させて表示した形態である、
カメラの表示制御方法。
【発明の詳細な説明】
【技術分野】
【０００１】
本発明は、カメラボディに表示部および操作ダイヤルを備えたカメラ、及び、その表示制御方法に関する。
【背景技術】
【０００２】
カメラボディの天面（いわゆる軍艦部）に表示部を備え、その表示部にシャッタースピード、絞り値などの設定内容を表示するカメラが知られている。【０００３】
また、カメラボディに回転式の操作ダイヤルを備え、その操作ダイヤルによって各種設定を行うカメラが知られている。【０００４】
特許文献１には、自己照明型の第１の表示部と外光反射型の第２の表示部とを備えたカメラが記載されており、第１の表示部をカメラボディの背面に配置し、かつ、第２の表示部をカメラボディの天面に配置することが記載されている。また、特許文献１には、第１の表示部に撮影画像を表示し、かつ、第２の表示部にカメラの設定内容を表示すること、第２の表示部に備えられた照明が点灯されると、第２の表示部に表示されている情報の内容と同一の内容が第１の表示部に表示されること、及び、カメラボディの天面に備えられた操作ダイヤルのイメージ画像が第１の表示部に表示されることが記載されている。【０００５】
また、特許文献２には、カメラボディの天面に操作ダイヤルを備え、その操作ダイヤルのロックを解除すると、操作ダイヤルのイメージ画像が、カメラボディの背面に備えられた表示部に表示されるカメラが記載されている。【０００６】
更に、特許文献３には、カメラボディの天面に操作ダイヤルを備え、その操作ダイヤルへの接触が検出されると、操作ダイヤルのイメージ画像が、カメラボディの背面に備えられた表示部に表示されるカメラが記載されている。
【先行技術文献】
【特許文献】
【０００７】
【特許文献１】特開２００３−１１０８８２号公報
【特許文献２】特開２０１５−１５４３２３号公報
【特許文献３】国際公開第２０１４／００２６５９号
【発明の概要】
【発明が解決しようとする課題】
【０００８】
しかしながら、従来の構成は、いずれも操作ダイヤルから離れた表示部にイメージ画像が表示されるため、操作のための視線移動が多くなり、操作性がよくないという欠点がある。また、操作ダイヤルと表示部との結び付きが弱く、操作に戸惑いを与えるという欠点もある。【０００９】
本発明は、このような事情に鑑みてなされたもので、操作性のよいカメラ、及び、その表示制御方法を提供することを目的とする。
【課題を解決するための手段】
【００１０】
上記課題を解決するための手段は、次のとおりである。【００１１】
（１）表示部と、表示部の近傍に備えられる回転式の操作ダイヤルと、操作ダイヤルへの指の接触又は近接を検出する検出部と、表示部の表示を制御する表示制御部と、を備え、表示制御部は、カメラの設定内容を表示部に表示し、操作ダイヤルへの指の接触又は近接が検出された場合は、操作ダイヤルのイメージ画像を第１のサイズで表示部に出現させ、操作ダイヤルへの指の接触又は近接が一定時間以上継続して検出された場合、あるいは、操作ダイヤルが操作された場合は、表示部に出現させた操作ダイヤルのイメージ画像を第２のサイズまで拡大させて表示する、カメラ。【００１２】
本態様によれば、操作ダイヤルに指が接触又は近接すると、表示部の表示が切り替えられる。操作ダイヤルに指が接触又は近接していない場合、表示部にはカメラの設定内容が表示される。これにより、表示部の表示からカメラの設定状況を確認できる。操作ダイヤルに指が接触又は近接すると、表示部に操作ダイヤルのイメージ画像が出現する。これにより、操作ダイヤルのイメージ画像が表示部に表示され得ることを予見できる。操作ダイヤルへの指の接触又は近接が一定時間以上継続して行われると、あるいは、操作ダイヤルが操作されると、表示部に出現した操作ダイヤルのイメージ画像が拡大して表示される。これにより、操作ダイヤルを操作する際、良好な操作性を提供できる。【００１３】
（２）表示制御部は、あらかじめ基点となるマークを表示部に表示し、操作ダイヤルへの指の接触又は近接が検出された場合は、マークを基点に操作ダイヤルのイメージ画像を拡大させて、表示部に第１のサイズで出現させる、上記（１）のカメラ。【００１４】
本態様によれば、操作ダイヤルのイメージ画像を出現させる際の基点となるマークが、あらかじめ表示部に表示される。操作ダイヤルのイメージ画像を出現させる場合は、そのマークを基点に操作ダイヤルのイメージ画像を拡大させて、表示部に出現させる。これにより、操作ダイヤルのイメージ画像が表示される位置を予見でき、より良好な操作性を提供できる。【００１５】
（３）表示部と、表示部の近傍に備えられる回転式の操作ダイヤルと、操作ダイヤルへの指の接触又は近接を検出する検出部と、表示部の表示を制御する表示制御部と、操作ダイヤルをロックするロック部と、を備え、表示制御部は、カメラの設定内容を表示部に表示し、操作ダイヤルのロックが解除された場合は、操作ダイヤルのイメージ画像を第１のサイズで表示部に出現させ、操作ダイヤルのロックが解除された状態で操作ダイヤルへの指の接触又は近接が検出された場合は、表示部に出現させた操作ダイヤルのイメージ画像を第２のサイズまで拡大させて表示する、カメラ。【００１６】
本態様によれば、操作ダイヤルをロックする動作、及び、ロックを解除する動作によって、表示部の表示が切り替えられる。また、操作ダイヤルのロックを解除した場合は、操作ダイヤルへの指の接触又は近接によって、表示部の表示が切り替えられる。操作ダイヤルがロックされている場合、表示部にはカメラの設定内容が表示される。これにより、表示部の表示からカメラの設定状況を確認できる。操作ダイヤルのロックが解除されると、表示部に操作ダイヤルのイメージ画像が出現する。これにより、操作ダイヤルのイメージ画像が表示部に表示され得ることを予見できる。ロックが解除された操作ダイヤルに指が接触又は近接すると、表示部に出現した操作ダイヤルのイメージ画像が拡大して表示される。これにより、操作ダイヤルを操作する際、良好な操作性を提供できる。【００１７】
（４）表示制御部は、あらかじめ基点となるマークを表示部に表示し、操作ダイヤルのロックが解除された場合は、マークを基点に操作ダイヤルのイメージ画像を拡大させて、表示部に第１のサイズで出現させる、上記（３）のカメラ。【００１８】
本態様によれば、操作ダイヤルのイメージ画像を出現させる際の基点となるマークが、あらかじめ表示部に表示される。操作ダイヤルのイメージ画像を出現させる場合は、そのマークを基点に操作ダイヤルのイメージ画像を拡大させて、表示部に出現させる。これにより、操作ダイヤルのイメージ画像が表示される位置を予見でき、より良好な操作性を提供できる。【００１９】
（５）操作ダイヤルは、カメラボディに内蔵され、外周の一部がカメラボディの外表面に露出して配置され、表示部は、操作ダイヤルに重ねて配置され、操作ダイヤルのイメージ画像は、第２のサイズまで拡大して表示されると、カメラボディから露出した操作ダイヤルの外周の一部を延長した円弧状の外形形状を有する画像で構成される、上記（１）から（４）のいずれか一のカメラ。【００２０】
本態様によれば、操作ダイヤルのイメージ画像を第２のサイズまで拡大すると、所定の外形形状を有する画像となる。すなわち、カメラボディから露出した操作ダイヤルの外周の一部を延長した円弧状の外形形状を有する画像となる。この画像は、操作ダイヤルの隠れた部分を表示しているかのような画像となる。これにより、操作ダイヤルと表示部に表示されるイメージ画像との結び付きを強めることができ、より良好な操作性を提供できる。【００２１】
（６）表示制御部は、操作ダイヤルのイメージ画像を第２のサイズまで拡大させて表示する場合、操作ダイヤルのイメージ画像を徐々に拡大させて表示し、拡大中に操作ダイヤルへの指の接触又は近接が検出されなくなった場合、操作ダイヤルのイメージ画像の表示を消去、又は、第１のサイズまで徐々に縮小させる、上記（１）から（５）のいずれか一のカメラ。【００２２】
本態様によれば、操作ダイヤルのイメージ画像が徐々に拡大しながら第２のサイズで表示される。これにより、表示部に表示される操作ダイヤルのイメージ画像と実際の操作ダイヤルとの関連性をより明確にできる。拡大中に操作ダイヤルへの指の接触又は近接が検出されなくなった場合は、表示部への操作ダイヤルのイメージ画像の表示が消去される。又は、第１のサイズまで徐々に縮小される。【００２３】
（７）表示部と、表示部の近傍に備えられる回転式の操作ダイヤルと、操作ダイヤルへの指の接触又は近接を検出する検出部と、表示部の表示を制御する表示制御部と、を備え、表示制御部は、カメラの設定内容を表示部に表示し、操作ダイヤルへの指の接触又は近接が検出された場合は、操作ダイヤルのイメージ画像を第１の表示量で表示部の縁から出現させ、操作ダイヤルへの指の接触又は近接が一定時間以上継続して検出された場合、あるいは、操作ダイヤルが操作された場合は、第１の表示量で表示部の縁から出現させた操作ダイヤルのイメージ画像を第１の表示量よりも多い第２の表示量で表示する、カメラ。【００２４】
本態様によれば、操作ダイヤルに指が接触又は近接すると、表示部の表示が切り替えられる。操作ダイヤルに指が接触又は近接していない場合、表示部にはカメラの設定内容が表示される。これにより、表示部の表示からカメラの設定状況を確認できる。操作ダイヤルに指が接触又は近接すると、操作ダイヤルのイメージ画像が表示部の縁から出現する。これにより、操作ダイヤルのイメージ画像が表示部に表示され得ることを予見できる。操作ダイヤルへの指の接触又は近接が一定時間以上継続して行われると、あるいは、操作ダイヤルが操作されると、表示部の縁から現れた操作ダイヤルのイメージ画像が更に大きく表示される。これにより、操作ダイヤルを操作する際、良好な操作性を提供できる。【００２５】
（８）表示部と、表示部の近傍に備えられる回転式の操作ダイヤルと、操作ダイヤルへの指の接触又は近接を検出する検出部と、表示部の表示を制御する表示制御部と、操作ダイヤルをロックするロック部と、を備え、表示制御部は、カメラの設定内容を表示部に表示し、操作ダイヤルのロックが解除された場合は、操作ダイヤルのイメージ画像を第１の表示量で表示部の縁から出現させ、操作ダイヤルのロックが解除された状態で操作ダイヤルへの指の接触又は近接が検出された場合は、第１の表示量で表示部の縁から出現させた操作ダイヤルのイメージ画像を第１の表示量よりも多い第２の表示量で表示する、カメラ。【００２６】
本態様によれば、操作ダイヤルをロックする動作、及び、ロックを解除する動作によって、表示部の表示が切り替えられる。また、操作ダイヤルのロックを解除した場合は、操作ダイヤルへの指の接触又は近接によって、表示部の表示が切り替えられる。操作ダイヤルがロックされている場合、表示部にはカメラの設定内容が表示される。これにより、表示部の表示からカメラの設定状況を確認できる。操作ダイヤルのロックが解除されると、操作ダイヤルのイメージ画像が表示部の縁から出現する。これにより、操作ダイヤルのイメージ画像が表示部に表示され得ることを予見できる。ロックが解除された操作ダイヤルに指が接触又は近接すると、表示部の縁から現れた操作ダイヤルのイメージ画像が更に大きく表示される。これにより、操作ダイヤルを操作する際、良好な操作性を提供できる。【００２７】
（９）操作ダイヤルは、カメラボディに内蔵され、外周の一部がカメラボディの外表面に露出して配置され、表示部は、操作ダイヤルに重ねて配置され、操作ダイヤルのイメージ画像は、第２の表示量で表示されると、カメラボディから露出した操作ダイヤルの外周の一部を延長した円弧状の外形形状を有する画像で構成される、上記（７）又は（８）のカメラ。【００２８】
本態様によれば、操作ダイヤルのイメージ画像を第２の表示量で表示すると、所定の外形形状を有する画像となる。すなわち、カメラボディから露出した操作ダイヤルの外周の一部を延長した円弧状の外形形状を有する画像となる。この画像は、操作ダイヤルの隠れた部分を表示しているかのような画像となる。これにより、操作ダイヤルと表示部に表示されるイメージ画像との結び付きを強めることができ、より良好な操作性を提供できる。【００２９】
（１０）表示制御部は、操作ダイヤルのイメージ画像を第２の表示量で表示する場合、操作ダイヤルのイメージ画像を表示部の縁から徐々に進出させて表示し、進出中に操作ダイヤルへの指の接触又は近接が検出されなくなった場合、操作ダイヤルのイメージ画像の表示を消去、又は、第１の表示量まで徐々に退避させる、上記（７）から（９）のいずれか一のカメラ。【００３０】
本態様によれば、操作ダイヤルのイメージ画像が表示部の縁から徐々に進出しながら第２の表示量で表示される。これにより、表示部に表示される操作ダイヤルのイメージ画像と実際の操作ダイヤルとの関連性をより明確にできる。進出中に操作ダイヤルへの指の接触又は近接が検出されなくなった場合は、表示部への操作ダイヤルのイメージ画像の表示が消去される。又は、第１の表示量まで徐々に退避する。【００３１】
（１１）カメラの設定内容は、操作ダイヤルによって設定される項目の設定値の情報を含み、操作ダイヤルのイメージ画像を表示する場合、表示制御部は、操作ダイヤルによって設定される項目の設定値の情報を除いてカメラの設定内容を表示部に表示する、上記（１）から（１０）のいずれか一のカメラ。【００３２】
本態様によれば、カメラの設定内容として表示部に表示される情報に、操作ダイヤルによって設定される項目の設定値の情報が含まれる。ただし、操作ダイヤルのイメージ画像を表示する場合は、当該情報が省かれて表示部に表示される。操作ダイヤルで設定される項目の設定値は、操作ダイヤルのイメージ画像で確認できるので、表示を省略する。これにより、重複表示を排除でき、表示部の表示スペースを有効に活用できる。
【００３３】
（１２）操作ダイヤルのイメージ画像を表示する場合、表示制御部は、カメラの設定内容の表示レイアウトを変更して、カメラの設定内容が操作ダイヤルのイメージ画像と重なって表示されるのを回避する、上記（１）から（１１）のいずれか一のカメラ。【００３４】
本態様によれば、操作ダイヤルのイメージ画像が表示部に表示されると、その表示と重ならないように、カメラの設定内容の表示レイアウトが調整される。これにより、表示部の表示を見やすくでき、良好な操作性を提供できる。【００３５】
（１３）表示部と、表示部の近傍に備えられる回転式の操作ダイヤルと、操作ダイヤルへの指の接触又は近接を検出する検出部と、表示部の表示を制御する表示制御部と、を備え、表示制御部は、カメラの設定内容、及び、操作ダイヤルのイメージ画像を表示部に表示し、かつ、検出部の検出結果に応じて、操作ダイヤルのイメージ画像の表示形態を切り替える、カメラ。【００３６】
本態様によれば、カメラの設定内容、及び、操作ダイヤルのイメージ画像が表示部に表示される。操作ダイヤルに指が接触又は近接すると、操作ダイヤルのイメージ画像の表示形態が切り替えられる。これにより、操作ダイヤルのイメージ画像の視認性を向上でき、良好な操作性を提供できる。【００３７】
（１４）操作ダイヤルは、カメラボディに内蔵され、外周の一部がカメラボディの外表面に露出して配置され、表示部は、操作ダイヤルに重ねて配置され、操作ダイヤルのイメージ画像は、カメラボディから露出した操作ダイヤルの外周の一部を延長した円弧状の外形形状を有する画像で構成される、上記（１３）のカメラ。【００３８】
本態様によれば、操作ダイヤルのイメージ画像が、所定の外形形状を有する画像で構成される。すなわち、カメラボディから露出した操作ダイヤルの外周の一部を延長した円弧状の外形形状を有する画像で構成される。これにより、操作ダイヤルと表示部に表示されるイメージ画像との結び付きを強めることができ、より良好な操作性を提供できる。【００３９】
（１５）操作ダイヤルへの指の接触又は近接が検出されていない場合の表示形態が、円弧状の外形形状を有する画像の内部に現在の設定値を表示した形態であり、操作ダイヤルへの指の接触又は近接が検出されている場合の表示形態が、円弧状の外形形状を有する画像の内部に選択可能な設定値を同一円周上に一定ピッチで表示した形態である、上記（１４）のカメラ。【００４０】
本態様によれば、操作ダイヤルに指が接触又は近接していない場合、円弧状の外形形状を有する画像の内部（文字盤部分）に現在の設定値が表示される。これにより、現在の設定を容易に確認できる。一方、操作ダイヤルに指が接触又は近接している場合、円弧状の外形形状を有する画像の内部に選択可能な設定値が同一円周上に一定ピッチで表示される。これにより、操作ダイヤルの操作により設定変更可能であることを容易に認識できる。【００４１】
（１６）操作ダイヤルへの指の接触又は近接が検出されていない場合の表示形態が、円弧状の外形形状を有する画像の内部に現在の設定値を静止させて表示した形態であり、操作ダイヤルへの指の接触又は近接が検出されている場合の表示形態が、円弧状の外形形状を有する画像の内部に現在の設定値を点滅させて表示した形態である、上記（１４）のカメラ。【００４２】
本態様によれば、操作ダイヤルに指が接触又は近接していない場合、円弧状の外形形状を有する画像の内部に現在の設定値が静止して表示される。これにより、現在の設定を容易に確認できる。一方、操作ダイヤルに指が接触又は近接している場合、円弧状の外形形状を有する画像の内部に現在の設定値が点滅して表示される。これにより、操作ダイヤルの操作により設定変更可能であることを容易に認識できる。【００４３】
（１７）表示部と、表示部の近傍に備えられる回転式の操作ダイヤルと、表示部の表示を制御する表示制御部と、を備え、表示制御部は、カメラの設定内容、及び、操作ダイヤルのイメージ画像を表示部に表示し、かつ、操作ダイヤルの操作に応じて、操作ダイヤルのイメージ画像の表示形態を切り替える、カメラ。【００４４】
本態様によれば、カメラの設定内容、及び、操作ダイヤルのイメージ画像が表示部に表示される。操作ダイヤルが操作されると、操作ダイヤルのイメージ画像の表示形態が切り替えられる。これにより、操作ダイヤルのイメージ画像の視認性を向上でき、良好な操作性を提供できる。【００４５】
（１８）操作ダイヤルは、カメラボディに内蔵され、外周の一部がカメラボディの外表面に露出して配置され、表示部は、操作ダイヤルに重ねて配置され、操作ダイヤルのイメージ画像は、カメラボディから露出した操作ダイヤルの外周の一部を延長した円弧状の外形形状を有する画像で構成される、上記（１７）のカメラ。【００４６】
本態様によれば、操作ダイヤルのイメージ画像が、所定の外形形状を有する画像で構成される。すなわち、カメラボディから露出した操作ダイヤルの外周の一部を延長した円弧状の外形形状を有する画像で構成される。これにより、操作ダイヤルと表示部に表示されるイメージ画像との結び付きを強めることができ、より良好な操作性を提供できる。【００４７】
（１９）操作ダイヤルが操作されていない場合の表示形態が、円弧状の外形形状を有する画像の内部に現在の設定値を表示した形態であり、操作ダイヤルが操作されている場合の表示形態が、円弧状の外形形状を有する画像の内部に選択可能な設定値を同一円周上に一定ピッチで表示した形態である、上記（１８）のカメラ。【００４８】
本態様によれば、操作ダイヤルに指が接触又は近接していない場合、円弧状の外形形状を有する画像の内部に現在の設定値が表示される。これにより、現在の設定を容易に確認できる。一方、操作ダイヤルに指が接触又は近接している場合、円弧状の外形形状を有する画像の内部に選択可能な設定値が同一円周上に一定ピッチで表示される。これにより、操作ダイヤルの操作により設定変更可能であることを容易に認識できる。【００４９】
（２０）操作ダイヤルが操作されていない場合の表示形態が、円弧状の外形形状を有する画像の内部に現在の設定値を静止させて表示した形態であり、操作ダイヤルが操作されている場合の表示形態が、円弧状の外形形状を有する画像の内部に現在の設定値を点滅させて表示した形態である、上記（１８）のカメラ。【００５０】
本態様によれば、操作ダイヤルに指が接触又は近接していない場合、円弧状の外形形状を有する画像の内部に現在の設定値が静止して表示される。これにより、現在の設定を容易に確認できる。一方、操作ダイヤルに指が接触又は近接している場合、円弧状の外形形状を有する画像の内部に現在の設定値が点滅して表示される。これにより、操作ダイヤルの操作により設定変更可能であることを容易に認識できる。【００５１】
（２１）操作ダイヤルの操作対象を設定する操作対象設定部を備え、表示制御部は、操作対象設定部で設定された操作対象に応じたイメージ画像を表示部に表示する、上記（１）から（２０）のいずれか一のカメラ。【００５２】
本態様によれば、操作ダイヤルの操作対象を任意に設定できる。これにより、操作ダイヤルで種々の機能を操作できる。操作対象が切り替えられた場合は、新たに設定された操作対象に対応したイメージ画像が表示部に表示される。【００５３】
（２２）操作ダイヤルの近傍に備えられた表示部にカメラの設定内容を表示し、操作ダイヤルへの指の接触又は近接が検出された場合は、操作ダイヤルのイメージ画像を第１のサイズで表示部に出現させ、操作ダイヤルへの指の接触又は近接が一定時間以上継続して検出された場合、あるいは、操作ダイヤルが操作された場合は、表示部に出現させた操作ダイヤルのイメージ画像を第２のサイズまで拡大させて表示する、カメラの表示制御方法。【００５４】
本態様によれば、操作ダイヤルに指が接触又は近接すると、表示部の表示が切り替えられる。操作ダイヤルに指が接触又は近接していない場合、表示部にはカメラの設定内容が表示される。これにより、表示部の表示からカメラの設定状況を確認できる。操作ダイヤルに指が接触又は近接すると、表示部に操作ダイヤルのイメージ画像が出現する。これにより、操作ダイヤルのイメージ画像が表示部に表示され得ることを予見できる。操作ダイヤルへの指の接触又は近接が一定時間以上継続して行われると、あるいは、操作ダイヤルが操作されると、表示部に出現した操作ダイヤルのイメージ画像が拡大して表示される。これにより、操作ダイヤルを操作する際、良好な操作性を提供できる。【００５５】
（２３）操作ダイヤルの近傍に備えられた表示部にカメラの設定内容を表示し、操作ダイヤルのロックが解除された場合は、操作ダイヤルのイメージ画像を第１のサイズで表示部に出現させ、操作ダイヤルのロックが解除された状態で操作ダイヤルへの指の接触又は近接が検出された場合は、表示部に出現させた操作ダイヤルのイメージ画像を第２のサイズまで拡大させて表示する、カメラの表示制御方法。【００５６】
本態様によれば、操作ダイヤルをロックする動作、及び、ロックを解除する動作によって、表示部の表示が切り替えられる。また、操作ダイヤルのロックを解除した場合は、操作ダイヤルへの指の接触又は近接によって、表示部の表示が切り替えられる。操作ダイヤルがロックされている場合、表示部にはカメラの設定内容が表示される。これにより、表示部の表示からカメラの設定状況を確認できる。操作ダイヤルのロックが解除されると、表示部に操作ダイヤルのイメージ画像が出現する。これにより、操作ダイヤルのイメージ画像が表示部に表示され得ることを予見できる。ロックが解除された操作ダイヤルに指が接触又は近接すると、表示部に出現した操作ダイヤルのイメージ画像が拡大して表示される。これにより、操作ダイヤルを操作する際、良好な操作性を提供できる。【００５７】
（２４）操作ダイヤルの近傍に備えられた表示部にカメラの設定内容を表示し、操作ダイヤルへの指の接触又は近接が検出された場合は、操作ダイヤルのイメージ画像を第１の表示量で表示部の縁から出現させ、操作ダイヤルへの指の接触又は近接が一定時間以上継続して検出された場合、あるいは、操作ダイヤルが操作された場合は、第１の表示量で表示部の縁から出現させた操作ダイヤルのイメージ画像を第１の表示量よりも多い第２の表示量で表示する、カメラの表示制御方法。【００５８】
本態様によれば、操作ダイヤルに指が接触又は近接すると、表示部の表示が切り替えられる。操作ダイヤルに指が接触又は近接していない場合、表示部にはカメラの設定内容が表示される。これにより、表示部の表示からカメラの設定状況を確認できる。操作ダイヤルに指が接触又は近接すると、操作ダイヤルのイメージ画像が表示部の縁から出現する。これにより、操作ダイヤルのイメージ画像が表示部に表示され得ることを予見できる。操作ダイヤルへの指の接触又は近接が一定時間以上継続して行われると、あるいは、操作ダイヤルが操作されると、表示部の縁から現れた操作ダイヤルのイメージ画像が更に大きく表示される。これにより、操作ダイヤルを操作する際、良好な操作性を提供できる。【００５９】
（２５）操作ダイヤルの近傍に備えられた表示部にカメラの設定内容を表示し、操作ダイヤルのロックが解除された場合は、操作ダイヤルのイメージ画像を第１の表示量で表示部の縁から出現させ、操作ダイヤルのロックが解除された状態で操作ダイヤルへの指の接触又は近接が検出された場合は、第１の表示量で表示部の縁から出現させた操作ダイヤルのイメージ画像を第１の表示量よりも多い第２の表示量で表示する、カメラの表示制御方法。【００６０】
本態様によれば、操作ダイヤルをロックする動作、及び、ロックを解除する動作によって、表示部の表示が切り替えられる。また、操作ダイヤルのロックを解除した場合は、操作ダイヤルへの指の接触又は近接によって、表示部の表示が切り替えられる。操作ダイヤルがロックされている場合、表示部にはカメラの設定内容が表示される。これにより、表示部の表示からカメラの設定状況を確認できる。操作ダイヤルのロックが解除されると、操作ダイヤルのイメージ画像が表示部の縁から出現する。これにより、操作ダイヤルのイメージ画像が表示部に表示され得ることを予見できる。ロックが解除された操作ダイヤルに指が接触又は近接すると、表示部の縁から現れた操作ダイヤルのイメージ画像が更に大きく表示される。これにより、操作ダイヤルを操作する際、良好な操作性を提供できる。【００６１】
（２６）操作ダイヤルの近傍に備えられた表示部にカメラの設定内容、及び、操作ダイヤルのイメージ画像を表示し、操作ダイヤルへの指の接触又は近接を検出し、操作ダイヤルへの指の接触又は近接が検出されている場合とされていない場合とで操作ダイヤルのイメージ画像の表示形態を切り替える、カメラの表示制御方法。
【００６２】
本態様によれば、カメラの設定内容、及び、操作ダイヤルのイメージ画像が表示部に表示される。操作ダイヤルに指が接触又は近接すると、操作ダイヤルのイメージ画像の表示形態が切り替えられる。これにより、操作ダイヤルのイメージ画像の視認性を向上でき、良好な操作性を提供できる。【００６３】
（２７）操作ダイヤルの近傍に備えられた表示部にカメラの設定内容、及び、操作ダイヤルのイメージ画像を表示し、操作ダイヤルが操作されている場合と操作されていない場合とで操作ダイヤルのイメージ画像の表示形態を切り替える、カメラの表示制御方法。
【００６４】
本態様によれば、カメラの設定内容、及び、操作ダイヤルのイメージ画像が表示部に表示される。操作ダイヤルが操作されると、操作ダイヤルのイメージ画像の表示形態が切り替えられる。これにより、操作ダイヤルのイメージ画像の視認性を向上でき、良好な操作性を提供できる。
【発明の効果】
【００６５】
本発明によれば、操作性のよいカメラを提供できる。
【図面の簡単な説明】
【００６６】
【図１】デジタルカメラの正面図
【図２】デジタルカメラの背面図
【図３】デジタルカメラの平面図
【図４】レンズを装着した状態のデジタルカメラの平面図
【図５】デジタルカメラの撮影時の使用形態を示す平面図
【図６】サブディスプレーの設置部を拡大した平面図
【図７】デジタルカメラの全体の制御系の概略構成を示すブロック図
【図８】リアコマンドダイヤルを用いた操作系のシステム構成を示すブロック図
【図９】リアコマンドダイヤルへの接触が検出されていない場合のサブディスプレーの表示の一例を示す平面図
【図１０】リアコマンドダイヤルへの接触が検出された場合のサブディスプレーの表示の一例を示す平面図
【図１１】リアコマンドダイヤルへの接触が一定時間以上継続して検出された場合のサブディスプレーの表示の一例を示す平面図
【図１２】サブディスプレーの表示制御の処理手順を示すフローチャート
【図１３】リアコマンドダイヤルへの接触が一定時間以上継続して検出された場合のサブディスプレーの表示の一例を示す平面図
【図１４】リアコマンドダイヤルへの接触が検出されていない場合のサブディスプレーの表示の変形例を示す平面図
【図１５】リアコマンドダイヤルへの接触が一定時間以上継続して検出された場合のサブディスプレーの表示の一例を示す平面図
【図１６】リアコマンドダイヤルで設定する項目がシャッタースピードの場合の例をイメージ画像の一例を示す図
【図１７】リアコマンドダイヤルで設定する項目が絞り値の場合のイメージ画像の一例を示す図
【図１８】リアコマンドダイヤルで設定する項目が露出補正量の場合のイメージ画像の一例を示す図
【図１９】リアコマンドダイヤルで設定する項目がＩＳＯ感度の場合のイメージ画像の一例を示す図
【図２０】リアコマンドダイヤルへの接触が検出された場合のサブディスプレーの表示の一例を示す平面図
【図２１】リアコマンドダイヤルへの接触が一定時間以上継続して検出された場合のサブディスプレーの表示の一例を示す平面図
【図２２】リアコマンドダイヤルへの接触が検出されていない場合のサブディスプレーの表示の変形例を示す平面図
【図２３】デジタルカメラの第３の実施の形態の背面図
【図２４】デジタルカメラの第３の実施の形態の平面図
【図２５】リアコマンドダイヤルがロックされている場合のサブディスプレーの表示の一例を示す平面図
【図２６】リアコマンドダイヤルのロックが解除された場合のサブディスプレーの表示の一例を示す平面図
【図２７】リアコマンドダイヤルのロックが解除された状態でリアコマンドダイヤルへの接触が検出された場合のサブディスプレーの表示の一例を示す平面図
【図２８】サブディスプレーの表示制御の処理手順を示すフローチャート
【図２９】サブディスプレーの表示制御の処理手順を示すフローチャート
【図３０】リアコマンドダイヤルのロックが解除された場合にマークを出現させる場合のサブディスプレーの表示の一例を示す平面図
【図３１】リアコマンドダイヤルへの指の接触が検出された場合のサブディスプレーの表示の一例を示す平面図
【図３２】一定時間以上継続して接触が検出された場合、及び、回転操作された場合のサブディスプレーの表示の一例を示す平面図
【図３３】リアコマンドダイヤルのロックが解除された場合のサブディスプレーの表示の一例を示す平面図
【図３４】リアコマンドダイヤルのロックが解除された状態でリアコマンドダイヤルへの接触が検出された場合のサブディスプレーの表示の一例を示す平面図
【図３５】リアコマンドダイヤルのロックが解除された場合にリアコマンドダイヤルのイメージ画像の外周の一部を縁から出現させる場合のサブディスプレーの表示の一例を示す平面図
【図３６】リアコマンドダイヤルへの指の接触が検出された場合のサブディスプレーの表示の一例を示す平面図
【図３７】一定時間以上継続して接触が検出された場合、及び、回転操作された場合のサブディスプレーの表示の一例を示す平面図
【図３８】リアコマンドダイヤルへの接触が検出されていない場合のサブディスプレーの表示の一例を示す平面図
【図３９】リアコマンドダイヤルへの接触が検出されている場合のサブディスプレーの表示の一例を示す平面図
【図４０】リアコマンドダイヤルへの接触が検出されている場合のサブディスプレーの表示の他の一例を示す平面図
【図４１】リアコマンドダイヤルへの接触が検出されていない場合のサブディスプレーの表示の他の一例を示す平面図
【図４２】第６の実施の形態のデジタルカメラの正面図
【図４３】第６の実施の形態のデジタルカメラの背面図
【図４４】第６の実施の形態のデジタルカメラの平面図
【図４５】すべての操作ダイヤルへの接触が検出されていない場合のサブディスプレーの表示の一例を示す平面図
【図４６】リアコマンドダイヤルへの接触が検出された場合のサブディスプレーの表示の一例を示す平面図
【図４７】リアコマンドダイヤルへの接触が一定時間以上継続して検出された場合のサブディスプレーの表示の一例を示す平面図
【図４８】フロントコマンドダイヤルへの接触が検出された場合のサブディスプレーの表示の一例を示す平面図
【図４９】フロントコマンドダイヤルへの接触が一定時間以上継続して検出された場合のサブディスプレーの表示の一例を示す平面図
【図５０】天面コマンドダイヤルへの接触が検出された場合のサブディスプレーの表示の一例を示す平面図
【図５１】天面コマンドダイヤルへの接触が一定時間以上継続して検出された場合のサブディスプレーの表示の一例を示す平面図
【図５２】リアコマンドダイヤルへの指の近接を検出するセンサーを備えたデジタルカメラの背面図
【発明を実施するための形態】
【００６７】
以下、添付図面に従って本発明を実施するための好ましい形態について詳説する。
【００６８】
〔第１の実施の形態〕
［外観構成］
図１、図２、図３は、それぞれ本発明が適用されたデジタルカメラの一例を示す正面図、背面図、平面図である。また、図４は、レンズを装着した状態のデジタルカメラの平面図である。また、図５は、デジタルカメラの撮影時の使用形態を示す平面図である。
【００６９】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００７０】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００７１】
図１から図５に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、リアコマンドダイヤルＤ１等が備えられる。
【００７２】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００７３】
《レンズマウント》
レンズマウント１２は、レンズ２の取り付け部である。図１に示すように、レンズマウント１２は、カメラボディ１０の正面に備えられる。レンズ２は、レンズマウント１２に着脱自在に装着される。レンズマウント１２は、バヨネット式で構成される。
【００７４】
《メインディスプレー》
メインディスプレー１４は、主として画像の表示に使用される。メインディスプレー１４は、図２に示すように、カメラボディ１０の背面に備えられる。メインディスプレー１４は、たとえば、カラーＬＣＤ（ＬＣＤ：Liquid Crystal Display／液晶ディスプレー）で構成される。
【００７５】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。撮影時にライブビューすることにより、画角、フォーカス状態等をメインディスプレー１４で確認できる。
【００７６】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面で各種設定が行われる。
【００７７】
《サブディスプレー》
サブディスプレー１６は、表示部の一例である。サブディスプレー１６は、主としてカメラの設定内容の表示に使用される。サブディスプレー１６は、メインディスプレー１４に比して小型のディスプレーで構成される。
【００７８】
サブディスプレー１６は、図３に示すように、カメラボディ１０の天面に備えられる。特に、本実施の形態のデジタルカメラ１では、カメラボディ１０の天面において、グリップ部側の端部に備えられる。サブディスプレー１６は、その表示面がカメラボディ１０の天面の一部を構成する。
【００７９】
サブディスプレー１６の表示面は、長方形状を有し、その短辺が光軸Ｌと平行に配置される。より具体的には、短辺が前後方向（ｚ方向）に沿って配置され、かつ、長辺が横方向（ｘ方向）に沿って配置される。
【００８０】
上記のように、サブディスプレー１６には、デジタルカメラ１の設定内容が表示される。具体的な表示内容については、後述する。
【００８１】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【００８２】
《ホットシュー》
ホットシュー２０は、外付けのフラッシュの取り付け部である。図３に示すように、ホットシュー２０は、カメラボディ１０の天面に備えられる。
【００８３】
《操作部材》
カメラボディ１０には、操作部材として、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、リアコマンドダイヤルＤ１等が備えられる。
【００８４】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチで構成される。シャッターボタン３０が半押しされると、撮影準備、すなわち、ＡＥ、ＡＦ、ＡＷＢ等の各処理が行われる。そして、その後、全押しされると、本撮影、すなわち、記録用の画像の取り込みが行われる。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。また、ＡＷＢとは、Automatic White Balance（自動ホワイトバランス）の略であり、カメラが光の状況を自動的に判断し、適正な色状態を再現する機能のことである。
【００８５】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【００８６】
〈再生ボタン〉 
再生ボタン３４は、デジタルカメラ１のモードを再生モードに切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、最後に撮影した画像がメインディスプレー１４に表示される。
【００８７】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【００８８】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【００８９】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【００９０】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【００９１】
〈メニューボタン〉
メニューボタン３８は、メニュー画面をメインディスプレー１４に呼び出すボタンである。メニューボタン３８は、カメラボディ１０の背面に備えられる。このメニューボタン３８を押すことにより、メインディスプレー１４にメニュー画面が表示される。各種設定を行うための設定画面は、このメニュー画面から呼び出すことができる。
【００９２】
メニューボタン３８は、ＯＫボタンとしても機能する。ＯＫボタンとは、選択事項、確認事項等についてＯＫを指示するボタンのことである。
【００９３】
〈セレクターボタン〉
セレクターボタン３９は、メニューボタン３８を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。更に、メインディスプレー１４に各種設定画面を呼び出した場合には、画面上でカーソルを各方向に移動させるボタンとして機能する。
【００９４】
〈表示ボタン〉
表示ボタン４０は、メインディスプレー１４の表示の切り替えを指示するボタンである。表示ボタン４０は、カメラボディ１０の背面に備えられる。再生モード又は撮影モードに設定されている状態において、表示ボタン４０が押されると、メインディスプレー１４の表示が切り替えられる。たとえば、再生モードに設定されている状態で表示ボタン４０が押されると、メインディスプレー１４に表示されている画像の撮影条件、ヒストグラム等が画像に重ねて表示される。また、たとえば、撮影モードに設定されている状態で表示ボタン４０が押されると、撮影条件、ヒストグラム等の各種情報がライブビュー画像に重ねて表示される。
【００９５】
表示ボタン４０は、ＢＡＣＫボタンとしても機能する。ＢＡＣＫボタンとは、メインディスプレー１４の表示を１つ前の状態に戻すことを指示するボタンである。たとえば、各種設定画面がメインディスプレー１４に表示されている状態で表示ボタン４０を押すと、メインディスプレー１４の表示を１つ前の状態に戻すことができる。これにより、選択事項、確認事項等をキャンセルできる。
【００９６】
〈モードダイヤル〉
モードダイヤル４１は、撮影モードを設定するダイヤルである。モードダイヤル４１の天面には、文字盤部分に「Ｐ」、「Ｓ」、「Ａ」、「Ｍ」の各記号が同一円周上に一定の間隔で表示される。記号「Ｐ」はプログラム、記号「Ｓ」はシャッタースピード優先、記号「Ａ」は絞り優先、記号「Ｍ」はマニュアルを表わす。
【００９７】
ここで、プログラムとは、露出を一定にしたまま、絞り値（Ｆ値）とシャッタースピードの組み合わせを変更できるモードをいう。いわゆるプログラムシフトが可能な撮影モードのことである。
【００９８】
シャッタースピード優先とは、ユーザーが選択したシャッタースピードに対して適正露出となるような絞り値をカメラが自動的に決定するモードをいう。
【００９９】
絞り優先とは、ユーザーが選択した絞り値に対して適正露出となるようなシャッタースピードをカメラが自動的に決定するモードをいう。
【０１００】
マニュアルとは、シャッタースピード及び絞り値をユーザーが選択するモードをいう。
【０１０１】
モードダイヤル４１は、指標４１ａに対し、各記号の位置でクリックストップ可能に構成される。記号「Ｐ」を指標４１ａに合わせると、撮影モードがプログラムに設定される。記号「Ｓ」を指標４１ａに合わせると、撮影モードがシャッタースピード優先に設定される。記号「Ａ」を指標４１ａに合わせると、撮影モードが絞り優先に設定される。記号「Ｍ」を指標４１ａに合わせると、撮影モードがマニュアルに設定される。
【０１０２】
図３には、撮影モードがシャッタースピード優先に設定された場合の例が示されている。この場合、指標４１ａに記号「Ｓ」が合わせられる。
【０１０３】
〈リアコマンドダイヤル〉
リアコマンドダイヤルＤ１は、操作ダイヤルの一例である。リアコマンドダイヤルＤ１は、カメラボディ１０に内蔵され、外周の一部がカメラボディ１０の表面に露出して配置される。本実施の形態のデジタルカメラ１では、外周の一部がカメラボディ１０の背面に露出して配置される。より具体的には、背面の右上隅に配置される。この位置は、カメラボディ１０のグリップ部を把持する右手の親指で操作可能な位置である。
【０１０４】
図６は、サブディスプレーの設置部を拡大した平面図である。
【０１０５】
リアコマンドダイヤルＤ１は、カメラボディ１０を平面視した際、サブディスプレー１６の下に配置される。換言すると、サブディスプレー１６は、リアコマンドダイヤルＤ１の上に重ねて配置される。また、リアコマンドダイヤルＤ１は、その回転軸Ｄ１ｏがサブディスプレー１６の表示面に対して直交して配置される。換言すると、リアコマンドダイヤルＤ１は、サブディスプレー１６の表示面と交差する方向の回転軸Ｄ１ｏを有する。更に、リアコマンドダイヤルＤ１は、その回転軸Ｄ１ｏが、サブディスプレー１６の表示面内に配置される。換言すると、サブディスプレー１６は、リアコマンドダイヤルＤ１の軸上に配置される。
【０１０６】
このように配置されたリアコマンドダイヤルＤ１は、カメラボディ１０の外表面から露出した部分が、サブディスプレー１６の近傍に備えられる。近傍とは、図６に示すように、サブディスプレー１６とリアコマンドダイヤルＤ１とが隣接して配置される程度の距離関係をいう。
【０１０７】
リアコマンドダイヤルＤ１は、円盤形状を有し、その外周には滑り止めのための凹凸が周方向に沿って周期的に備えられる。
【０１０８】
リアコマンドダイヤルＤ１は、エンドレスに回転操作可能に設けられ、かつ、双方向に回転操作可能に設けられる。すなわち、回転軸Ｄ１ｏを中心に時計回りの回転方向ｒ−にエンドレスに回転操作可能に設けられ、かつ、反時計回りの回転方向ｒ＋にエンドレスに回転操作可能に設けられる。なお、時計回りの回転方向ｒ−をマイナスの回転方向、反時計回りの回転方向ｒ＋をプラスの回転方向とする。
【０１０９】
また、リアコマンドダイヤルＤ１は、クリック機構を有し、一定の角度間隔でクリックストップ可能に構成される。クリックストップとは、クリック感を伴って回転を停止させる機能のことである。この種のクリック機構は公知の技術であるので、その具体的な構成についての説明は省略する。
【０１１０】
リアコマンドダイヤルＤ１の操作は、操作検出部Ｄ１ａで検出される（図８参照）。操作検出部Ｄ１ａは、リアコマンドダイヤルＤ１の操作方向及び操作量を検出して、システムコントローラー８０に出力する。操作検出部Ｄ１ａは、たとえば、ロータリーエンコーダー等の検出手段で検出される。
【０１１１】
リアコマンドダイヤルＤ１によって操作される対象は、デジタルカメラ１の状態に応じて自動的に切り替わる。たとえば、撮影モードに設定された場合において、プログラムモードが選択された場合は、プログラムシフトする機能が割り当てられる。また、再生モードに設定された場合は、再生中の画像をズームする機能が割り当てられる。また、メインディスプレー１４を用いて各種設定を行う場合は、設定値を変更する機能が割り当てられる。この点については、後に詳述する。
【０１１２】
リアコマンドダイヤルＤ１には、タッチセンサーＤ１ｂが備えられる（図８参照）。タッチセンサーＤ１ｂは、検出部の一例である。タッチセンサーＤ１ｂは、リアコマンドダイヤルＤ１への指の接触を検出し、その情報をシステムコントローラー８０に出力する。
【０１１３】
［全体の制御系］
図７は、デジタルカメラの全体の制御系の概略構成を示すブロック図である。
【０１１４】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１１５】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１１６】
イメージセンサー駆動部５２は、システムコントローラー８０からの指令に応じて、イメージセンサー５０を駆動する。
【０１１７】
シャッター５４は、スクエア型のフォーカルプレーンシャッターで構成され、イメージセンサー５０の直前に配置される。なお、図１は、シャッターが全開された状態が示されている。
【０１１８】
シャッター駆動部５６は、システムコントローラー８０からの指令に応じて、シャッター５４を駆動する。
【０１１９】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１２０】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１２１】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１２２】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１２３】
記録制御部６８は、システムコントローラー８０からの指令に応じて、メモリーカード７８にアクセスし、データを読み書きする。撮影により得られた画像データは、メモリーカード７８に記録される。
【０１２４】
メインディスプレー駆動部７０は、システムコントローラー８０からの指令に応じて、メインディスプレー１４を駆動する。
【０１２５】
サブディスプレー駆動部７２は、システムコントローラー８０からの指令に応じて、サブディスプレー１６を駆動する。
【０１２６】
操作部７４は、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、リアコマンドダイヤルＤ１等を含み、各操作部材の操作に応じた信号をシステムコントローラー８０に出力する。
【０１２７】
システムコントローラー８０は、デジタルカメラ１の各部の動作を制御する制御部である。システムコントローラー８０は、マイクロコンピューターで構成される。すなわち、マイクロコンピューターが、所定の制御プログラムを実行することにより、システムコントローラー８０として機能する。
【０１２８】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１２９】
撮影から記録までの処理は、おおよそ次のとおりである。
【０１３０】
シャッターボタン３０の全押しによってイメージセンサー５０から出力された信号は、まず、アナログ信号処理部５８に取り込まれる。そして、そのアナログ信号処理部５８において、所定のアナログの信号処理が施された後、デジタルの信号に変換されて出力される。
【０１３１】
アナログ信号処理部５８から出力された信号は、画像データ入力部６０を介してワークメモリ６２に取り込まれる。そして、ワークメモリ６２からデジタル信号処理部６６に加えられる。
【０１３２】
デジタル信号処理部６６は、加えられた信号に所定の信号処理を施して、記録用の画像データを生成する。生成された画像データは、ワークメモリ６２に一旦格納された後、所定の記録用のフォーマットに変換され、記録制御部６８を介してメモリーカード７８に格納される。
【０１３３】
［リアコマンドダイヤルを用いた操作系］
《構成》
図８は、リアコマンドダイヤルを用いた操作系のシステム構成を示すブロック図である。
【０１３４】
リアコマンドダイヤルＤ１を用いた操作系は、主として、リアコマンドダイヤルＤ１の操作を検出する操作検出部Ｄ１ａと、リアコマンドダイヤルＤ１への接触を検出するタッチセンサーＤ１ｂと、リアコマンドダイヤルＤ１の操作対象を設定する操作対象設定部１１０と、リアコマンドダイヤルＤ１の操作に基づいて、操作対象設定部１１０で設定された項目の設定を変更する設定変更部１１２と、サブディスプレー１６の表示を制御するサブディスプレー表示制御部１１４と、で構成される。
【０１３５】
〈操作検出部〉
操作検出部Ｄ１ａは、リアコマンドダイヤルＤ１の操作を検出する。すなわち、その操作方向及び操作量を検出する。操作量は、１クリック単位で検出する。すなわち、１クリック分の回転操作を１として検出する。したがって、反時計回りに２クリック分回転させた場合は、操作量が＋２となる。また、時計回りに２クリック分回転させた場合は、操作量が−２となる。操作検出部Ｄ１ａは、たとえば、ロータリーエンコーダー等の検出手段で構成される。操作検出部Ｄ１ａは、リアコマンドダイヤルＤ１の操作を検出すると、その情報、すなわち、リアコマンドダイヤルＤ１の操作方向及び操作量の情報をシステムコントローラー８０に出力する。
【０１３６】
〈タッチセンサー〉
タッチセンサーＤ１ｂは、検出部の一例である。タッチセンサーＤ１ｂは、リアコマンドダイヤルＤ１への接触を検出する。タッチセンサーＤ１ｂは、リアコマンドダイヤルＤ１への接触を検出すると、その情報をシステムコントローラー８０に出力する。
【０１３７】
〈操作対象設定部〉
操作対象設定部１１０は、リアコマンドダイヤルＤ１の操作対象を設定する。上記のように、リアコマンドダイヤルＤ１によって操作される対象は、デジタルカメラ１の状態に応じて自動的に切り替わる。操作対象設定部１１０は、この切り替えの処理を実行する。
【０１３８】
デジタルカメラ１が、再生モードの場合、リアコマンドダイヤルＤ１には、再生中の画像をズームする機能が割り当てられる。この場合、リアコマンドダイヤルＤ１を反時計回りに回転させると、画像が拡大され、時計周りに回転させると、画像が縮小される。
【０１３９】
また、メインディスプレー１４を用いて各種設定を行う場合、リアコマンドダイヤルＤ１には、設定値を変更する機能が割り当てられる。この場合、リアコマンドダイヤルＤ１を反時計回りの方向に回転させると、設定値が繰り上げられ、時計周りの方向に回転させると、設定値が繰り下げられる。
【０１４０】
更に、デジタルカメラ１が、撮影モードの場合、リアコマンドダイヤルＤ１にはモードに応じた機能が割り当てられる。
【０１４１】
具体的には、プログラムモードの場合は、プログラムシフトの機能が割り当てられる。すなわち、露出を一定にしたまま、絞り値（Ｆ値）とシャッタースピードの組み合わせを変更する機能が割り当てられる。この場合、リアコマンドダイヤルＤ１を反時計回りに回転させると、シャッタースピードが繰り上げられ（絞り値は繰り下げられる）、時計周りの方向に回転させると、シャッタースピードが繰り下げられる（絞り値は繰り上げられる）。
【０１４２】
また、シャッタースピード優先モードの場合は、シャッタースピードの設定を変更する機能が割り当てられる。この場合、リアコマンドダイヤルＤ１を反時計回りに回転させると、シャッタースピードが繰り上げられ、時計周りの方向に回転させると、シャッタースピードが繰り下げられる。
【０１４３】
また、絞り優先モードの場合は、絞り値の設定を変更する機能が割り当てられる。この場合、リアコマンドダイヤルＤ１を反時計回りに回転させると、絞り値が繰り上げられ、時計周りの方向に回転させると、絞り値が繰り下げられる。
【０１４４】
また、マニュアルモードの場合は、シャッタースピード又は絞り値の設定を変更する機能が割り当てられる。いずれの項目の設定を変更するかは、ユーザーの設定による。
【０１４５】
データメモリ６４は、デジタルカメラ１の状態に応じて割り当てる機能が規定されたテーブルが格納される。操作対象設定部１１０は、このテーブルを参照して、リアコマンドダイヤルＤ１の操作対象を設定する。
【０１４６】
なお、操作対象設定部１１０の機能は、システムコントローラー８０の一機能として提供される。すなわち、マイクロコンピューターが、所定の制御プログラムを実行することにより、システムコントローラー８０の一機能として、操作対象設定部１１０の機能が提供される。
【０１４７】
〈設定変更部〉
設定変更部１１２は、リアコマンドダイヤルＤ１の操作に基づいて、操作対象設定部１１０で設定された操作対象の設定を変更する。たとえば、シャッタースピードの設定を変更する機能が割り当てられた場合において、リアコマンドダイヤルＤ１が反時計回りに回転された場合、その回転量（操作量）に応じてシャッタースピードを繰り上げる。また、たとえば、絞り値の設定を変更する機能が割り当てられた場合において、リアコマンドダイヤルＤ１が時計回りに回転された場合、その回転量（操作量）に応じて絞り値を繰り下げる。
【０１４８】
設定変更部１１２の機能は、システムコントローラー８０の一機能として提供される。すなわち、マイクロコンピューターが、所定の制御プログラムを実行することにより、システムコントローラー８０の一機能として、設定変更部１１２の機能が提供される。
【０１４９】
〈サブディスプレー表示制御部〉
サブディスプレー表示制御部１１４は、表示制御部の一例である。サブディスプレー表示制御部１１４は、サブディスプレー駆動部７２を介してサブディスプレー１６の表示を制御する。サブディスプレー表示制御部１１４は、リアコマンドダイヤルＤ１への指の接触の検出結果、及び、リアコマンドダイヤルＤ１の回転操作に基づいて、サブディスプレー１６の表示を切り替える。
【０１５０】
具体的には、リアコマンドダイヤルＤ１への指の接触が検出されていない場合、サブディスプレー表示制御部１１４は、カメラの設定内容だけをサブディスプレー１６に表示する。
【０１５１】
リアコマンドダイヤルＤ１へ指の接触が検出されると、サブディスプレー表示制御部１１４は、リアコマンドダイヤルＤ１のイメージ画像をサブディスプレー１６に出現させる。このとき、サブディスプレー表示制御部１１４は、リアコマンドダイヤルＤ１のイメージ画像ｉＤ１を所定位置に第１のサイズで出現させる。
【０１５２】
リアコマンドダイヤルＤ１への指の接触が検出された後、そのまま継続して接触が検出され続けると、あるいは、リアコマンドダイヤルＤ１が回転操作されると、サブディスプレー表示制御部１１４は、サブディスプレー１６に出現させたリアコマンドダイヤルＤ１のイメージ画像ｉＤ１を拡大させて表示する。
【０１５３】
（１）非接触時の表示
図９は、リアコマンドダイヤルへの接触が検出されていない場合のサブディスプレーの表示の一例を示す平面図である。
【０１５４】
上記のように、リアコマンドダイヤルＤ１への指の接触が検出されていない場合、サブディスプレー１６には、カメラの設定内容ｉＣだけが表示される。リアコマンドダイヤルＤ１への指の接触が検出されていない場合のサブディスプレー１６の表示形態を「非接触時表示形態」と称する。
【０１５５】
本実施の形態のデジタルカメラ１では、デジタルカメラ１の設定内容ｉＣの情報として、現在設定されているシャッタースピードの情報ｉ１、現在設定されている絞り値の情報ｉ２、現在設定されているＩＳＯ感度（ＩＳＯ：International Organization for Standardization／国際標準化機構）の情報ｉ３、及び、現在の撮影可能枚数の情報ｉ４が表示される。
【０１５６】
なお、図９には、現在設定されているシャッタースピードが１／６０秒、絞り値がＦ５．６、ＩＳＯ感度がＩＳＯ４００、撮影可能枚数が９９枚の場合の例が示されている。
【０１５７】
これらの情報は、規定のレイアウトで表示される。すなわち、各情報は、決められた位置に決められたサイズで表示される。本例では、画面を４等分割し、各情報を均等に表示している。
【０１５８】
（２）接触時の表示
図１０は、リアコマンドダイヤルへの接触が検出された場合のサブディスプレーの表示の一例を示す平面図である。
【０１５９】
上記のように、リアコマンドダイヤルＤ１への指の接触が検出されると、サブディスプレー１６には、リアコマンドダイヤルＤ１のイメージ画像ｉＤ１が出現する。リアコマンドダイヤルＤ１への指の接触が検出された場合のサブディスプレー１６の表示形態を「接触時表示形態」と称する。
【０１６０】
リアコマンドダイヤルＤ１のイメージ画像ｉＤ１は、一般的な回転式の操作ダイヤルを平面視した画像で構成され、円形状の外形形状を有する画像で構成される。本実施の形態のデジタルカメラ１では、実際のリアコマンドダイヤルＤ１の外観に近づけるため、外周部分に凹凸を付している。また、本実施の形態のデジタルカメラ１では、内部（文字盤部分）にリアコマンドダイヤルＤ１によって設定変更される項目の現在の設定値を表示している。図１０は、リアコマンドダイヤルＤ１で設定変更される項目がシャッタースピードの場合を示しており、現在のシャッタースピードの設定値が１／６０秒の場合の例が示されている。この場合、図１０に示すように、イメージ画像ｉＤ１は、円形状の外形形状を有する画像の内部に１／６０と表示される。
【０１６１】
リアコマンドダイヤルＤ１のイメージ画像ｉＤ１は、所定の位置に第１のサイズで表示される。本実施の形態のデジタルカメラ１では、実際のリアコマンドダイヤルＤ１の回転軸Ｄ１ｏと同軸上に表示され、かつ、実際のリアコマンドダイヤルＤ１のサイズよりも小さなサイズで表示される。
【０１６２】
リアコマンドダイヤルＤ１のイメージ画像ｉＤ１を出現させる際、サブディスプレー表示制御部１１４は、実際のリアコマンドダイヤルＤ１の回転軸Ｄ１ｏを基点として、径を徐々に大きくしながら出現させる。すなわち、徐々に大きくなりながら出現する様子を動画像で表示する。これにより、ユーザーの注意をサブディスプレー１６に向けることができる。
【０１６３】
リアコマンドダイヤルＤ１のイメージ画像ｉＤ１がサブディスプレー１６に表示されると、その表示を避けるようにして、カメラの設定内容ｉＣの表示レイアウトが変更される。すなわち、各項目の情報が、リアコマンドダイヤルＤ１のイメージ画像ｉＤ１と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。これにより、カメラの設定内容ｉＣとリアコマンドダイヤルＤ１のイメージ画像ｉＤ１とが重なって表示されるのを回避できる。
【０１６４】
（３）操作時の表示
図１１は、リアコマンドダイヤルへの接触が一定時間以上継続して検出された場合のサブディスプレーの表示の一例を示す平面図である。リアコマンドダイヤルＤ１が回転操作された場合も同様の表示となる。リアコマンドダイヤルＤ１への接触が一定時間以上継続して検出された場合、及び、リアコマンドダイヤルＤ１が回転操作された場合のサブディスプレー１６の表示形態を「操作時表示形態」と称する。
【０１６５】
リアコマンドダイヤルＤ１への指の接触が検出された後、そのまま継続して接触が検出され続けると、あるいは、リアコマンドダイヤルＤ１が回転操作されると、サブディスプレー１６に表示されたリアコマンドダイヤルＤ１のイメージ画像ｉＤ１が拡大して表示される。
【０１６６】
サブディスプレー表示制御部１１４は、サブディスプレー１６に出現させたリアコマンドダイヤルＤ１のイメージ画像ｉＤ１を第２のサイズまで拡大させて表示する。この際、サブディスプレー表示制御部１１４は、実際のリアコマンドダイヤルＤ１の回転軸Ｄ１ｏを基準にして、リアコマンドダイヤルＤ１のイメージ画像ｉＤ１の外径を徐々に大きくしながら第２のサイズまで拡大させる。すなわち、徐々に拡大する様子を動画像で表示する。これにより、ユーザーの注意をサブディスプレー１６に向けることができる。また、これにより、サブディスプレー１６に表示されるイメージ画像と、実際のリアコマンドダイヤルＤ１との関連性をより明確にできる。
【０１６７】
第２のサイズまで拡大したリアコマンドダイヤルＤ１のイメージ画像ｉＤ１は、その外径が実際のリアコマンドダイヤルＤ１の外径とほぼ一致する。このため、図１１に示すように、サブディスプレー１６に表示される画像は、カメラボディ１０から露出したリアコマンドダイヤルＤ１の外周の一部を延長した円弧状の外形形状を有する画像となる。そして、この画像はリアコマンドダイヤルＤ１の隠れた部分を表示しているかのような画像となる。これにより、リアコマンドダイヤルＤ１とサブディスプレー１６に表示されるイメージ画像ｉＤ１との結び付きを強めることができ、直感的な操作性に寄与できる。
【０１６８】
なお、拡大中にリアコマンドダイヤルＤ１への接触が検出されなくなった場合は、イメージ画像ｉＤ１の拡大が中止され、第１のサイズに戻される。この場合、徐々に縮小されて、第１のサイズに戻される。なお、イメージ画像自体の表示を消去してもよい。
【０１６９】
また、リアコマンドダイヤルＤ１が回転操作された場合は、リアコマンドダイヤルＤ１のイメージ画像ｉＤ１も回転される。この場合、外周の凹凸部分が回転して表示されることとなる。これにより、操作していることをより明確にできる。
【０１７０】
リアコマンドダイヤルＤ１のイメージ画像ｉＤ１が拡大されると、その表示を避けるようにして、カメラの設定内容ｉＣの表示レイアウトが変更される。すなわち、各項目の情報が、リアコマンドダイヤルＤ１のイメージ画像ｉＤ１と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。これによりリアコマンドダイヤルＤ１のイメージ画像ｉＤ１とカメラの設定内容ｉＣとが重なって表示されるのを回避できる。
【０１７１】
サブディスプレー表示制御部１１４は、リアコマンドダイヤルＤ１への指の接触の検出結果、及び、リアコマンドダイヤルＤ１の回転操作に基づいて、サブディスプレー１６の表示を切り替える。
【０１７２】
サブディスプレー表示制御部１１４は、リアコマンドダイヤルＤ１に備えられたタッチセンサーＤ１ｂからの出力、及び、操作検出部Ｄ１ａからの出力に基づいて、サブディスプレー１６の表示を制御する。また、サブディスプレー表示制御部１１４は、表示に必要な情報を取得し、取得した情報が規定のレイアウトで表示されるように、サブディスプレー１６の表示を制御する。
【０１７３】
サブディスプレー表示制御部１１４の機能は、システムコントローラー８０の一機能として提供される。すなわち、マイクロコンピューターが、所定の制御プログラムを実行することにより、システムコントローラー８０の一機能として、サブディスプレー表示制御部１１４の機能が提供される。
【０１７４】
《サブディスプレーの表示制御方法》
図１２は、サブディスプレーの表示制御の処理手順を示すフローチャートである。
【０１７５】
デジタルカメラ１の電源が投入されると、サブディスプレー表示制御部１１４は、サブディスプレー１６に非接触時表示形態で情報を表示する（ステップＳ１０）。すなわち、図９に示すように、カメラの設定内容ｉＣだけをサブディスプレー１６に表示する。
【０１７６】
この後、サブディスプレー表示制御部１１４は、タッチセンサーＤ１ｂの出力に基づいて、リアコマンドダイヤルＤ１に指が触れられたか否かを判定する。すなわち、リアコマンドダイヤルＤ１への接触の検出の有無を判定する（ステップＳ１１）。
【０１７７】
リアコマンドダイヤルＤ１への接触の検出なし、と判定すると、サブディスプレー表示制御部１１４は、デジタルカメラ１の電源がオフされたか否かを判定する（ステップＳ１２）。デジタルカメラ１の電源がオフされた、と判定すると、処理を終了する。一方、デジタルカメラ１の電源がオフされていない、と判定すると、ステップＳ１１の処理に戻り、リアコマンドダイヤルＤ１への接触の検出の有無を判定する（ステップＳ１１）。この場合、サブディスプレー１６の表示は、非接触時表示形態での表示が継続される。
【０１７８】
一方、ステップＳ１１において、リアコマンドダイヤルＤ１への接触の検出あり、と判定すると、サブディスプレー表示制御部１１４は、接触時表示形態でサブディスプレー１６に情報を表示する（ステップＳ１３）。すなわち、図１０に示すように、サブディスプレー１６にリアコマンドダイヤルＤ１のイメージ画像ｉＤ１を出現させる。リアコマンドダイヤルＤ１のイメージ画像ｉＤ１を出現させる際は、点の状態から径を徐々に大きくしながら所定サイズ（第１のサイズ）に表示する。
【０１７９】
この後、サブディスプレー表示制御部１１４は、タッチセンサーＤ１ｂの出力に基づいて、リアコマンドダイヤルＤ１に継続して指が触れられているか否かを判定する。すなわち、リアコマンドダイヤルＤ１への接触の検出が継続されているか否かを判定する（ステップＳ１４）。
【０１８０】
接触の検出が継続されていない、と判定すると、ステップＳ１０の処理に戻り、サブディスプレー１６の表示を非接触時表示形態での表示に切り替える。この場合、リアコマンドダイヤルＤ１のイメージ画像ｉＤ１は、徐々に縮小しながら消去する。
【０１８１】
一方、接触の検出が継続されている、と判定すると、サブディスプレー表示制御部１１４は、次に、操作検出部Ｄ１ａからの出力に基づいて、リアコマンドダイヤルＤ１が回転操作されたか否かを判定する（ステップＳ１５）。
【０１８２】
回転操作された、と判定すると、サブディスプレー表示制御部１１４は、操作時表示形態でサブディスプレー１６に情報を表示する（ステップＳ１７）。すなわち、図１１に示すように、サブディスプレー１６に出現させたリアコマンドダイヤルＤ１のイメージ画像ｉＤ１を拡大する。この際、径を徐々に大きくしながら所定サイズ（第２のサイズ）まで拡大する。
【０１８３】
一方、回転操作されていない、と判定すると、サブディスプレー表示制御部１１４は、次に、接触検出開始から一定時間が経過したか否かを判定する（ステップＳ１６）。すなわち、リアコマンドダイヤルＤ１への接触が一定時間以上継続して検出されたか否かを判定する。なお、判定の基準となる「一定時間」は、あらかじめ規定される時間であり、たとえば、２秒である。サブディスプレー表示制御部１１４は、接触の検出開始からの経過時間をカウントする。
【０１８４】
接触検出開始から一定時間が経過していない、と判定すると、ステップＳ１４の処理に戻り、リアコマンドダイヤルＤ１への接触の検出が継続されているか否かを判定する。この場合、サブディスプレー１６の表示は、接触時表示形態での表示が継続される。
【０１８５】
一方、接触検出開始から一定時間が経過した、と判定すると、サブディスプレー表示制御部１１４は、操作時表示形態でサブディスプレー１６に情報を表示する（ステップＳ１７）。すなわち、図１１に示すように、サブディスプレー１６に出現させたリアコマンドダイヤルＤ１のイメージ画像ｉＤ１を拡大する。この際、径を徐々に大きくしながら所定サイズ（第２のサイズ）まで拡大する。なお、拡大中にリアコマンドダイヤルＤ１への接触が検出されなくなった場合は、イメージ画像ｉＤ１の拡大が中止される。この場合、徐々に縮小されて、第１のサイズに戻される。
【０１８６】
この後、サブディスプレー表示制御部１１４は、タッチセンサーＤ１ｂの出力に基づいて、リアコマンドダイヤルＤ１への接触の検出が継続されているか否かを判定する（ステップＳ１８）。
【０１８７】
接触の検出が継続されていない、と判定すると、ステップＳ１０の処理に戻り、サブディスプレー１６の表示を非接触時表示形態での表示に切り替える。この場合、表示形態を切り替えてもよいが、一定時間経過後に表示形態を切り替えてもよい。すなわち、接触が検出されなくなっても一定時間は、接触時表示形態を維持し、その後、非接触時表示形態での表示に切り替えてもよい。また、非接触時表示形態に切り替える場合は、リアコマンドダイヤルＤ１のイメージ画像ｉＤ１を徐々に縮小しながら消去してもよい。
【０１８８】
一方、接触の検出が継続されている、と判定すると、サブディスプレー表示制御部１１４は、デジタルカメラ１の電源がオフされたか否かを判定する（ステップＳ１９）。デジタルカメラ１の電源がオフされた、と判定すると、処理を終了する。一方、デジタルカメラ１の電源がオフされていない、と判定すると、ステップＳ１８の処理に戻り、リアコマンドダイヤルＤ１への接触の検出が継続されているか否かを判定する（ステップＳ１８）。この場合、サブディスプレー１６の表示は、操作時表示形態での表示が継続される。
【０１８９】
このように、本実施の形態のデジタルカメラ１では、リアコマンドダイヤルＤ１への指の接触の検出結果、及び、リアコマンドダイヤルＤ１の回転操作に基づいて、サブディスプレー１６の表示が切り替えられる。リアコマンドダイヤルＤ１を操作しない場合は、カメラの設定内容ｉＣだけがサブディスプレー１６に表示されるので、各項目の情報を大きく表示でき、良好な視認性を確保できる。これにより、良好な操作性を提供できる。一方、リアコマンドダイヤルＤ１を操作する場合には、そのイメージ画像ｉＤ１がサブディスプレー１６に表示されるので、リアコマンドダイヤルＤ１を用いた設定が簡単にできる。また、リアコマンドダイヤルＤ１を操作する場合には、リアコマンドダイヤルＤ１に触れた段階でサブディスプレー１６に所定の形態でリアコマンドダイヤルＤ１のイメージ画像ｉＤ１が表示されるので、サブディスプレー１６への注意を向けやすく、初めて使うユーザーであっても、戸惑うことなく操作できる。更に、サブディスプレー１６に表示されるイメージ画像ｉＤ１は、カメラボディ１０から露出したリアコマンドダイヤルＤ１の外周の一部を延長した円弧状の外形形状を有する画像で構成されるため、サブディスプレー１６の表示と実際のリアコマンドダイヤルＤ１との結び付きを一目で把握できる。これにより、良好な操作性を提供できる。
【０１９０】
［変形例］
《カメラの設定内容の変形例》
上記実施の形態では、カメラの設定内容の情報として、シャッタースピード、絞り値、ＩＳＯ感度、及び、撮影可能枚数の情報を表示しているが、カメラの設定内容の情報として表示する情報は、これに限定されるものではない。この他、たとえば、フラッシュの設定情報、フラッシュの調光補正量の情報、マクロモードの設定情報、連写モードの設定情報、ホワイトバランスの設定情報、ＡＦモードの設定情報、画像サイズの設定情報、画質の設定情報、手ブレ補正の設定情報等をカメラの設定内容の情報として表示できる。
【０１９１】
なお、サブディスプレー１６に表示するカメラの設定内容には、少なくともリアコマンドダイヤルＤ１によって設定される項目の設定値の情報を含めることが好ましい。
【０１９２】
また、リアコマンドダイヤルＤ１で設定される項目が撮影モードに応じて自動的に切り替わる場合は、リアコマンドダイヤルＤ１で設定し得る項目の設定値の情報をカメラの設定内容に含めることが好ましい。たとえば、選択可能な撮影モードとして、プログラムモード、シャッタースピード優先モード、絞り優先モード、及び、マニュアルモードが用意されている場合において、プログラムモードの場合はプログラムシフトの機能が割り当てられ、シャッタースピード優先モードの場合はシャッタースピードを設定する機能が割り当てられ、絞り優先モードの場合は絞り値を設定する機能が割り当てられ、マニュアルモードの場合は、シャッタースピードを設定する機能が割り当てられるとする。この場合、サブディスプレー１６に表示するカメラの設定内容には、少なくともシャッタースピード及び絞り値の情報を含める。
【０１９３】
《カメラの設定内容の表示の変形例》
カメラの設定内容として表示する情報にリアコマンドダイヤルＤ１によって設定される項目の設定値の情報が含まれる場合において、リアコマンドダイヤルＤ１のイメージ画像ｉＤ１を表示する場合は、カメラの設定内容として表示する情報からリアコマンドダイヤルＤ１によって設定される項目の設定値の情報を除いてもよい。
【０１９４】
たとえば、カメラの設定内容として、シャッタースピード、絞り値、ＩＳＯ感度、及び、撮影可能枚数の情報が表示される場合において、リアコマンドダイヤルＤ１で設定する項目がシャッタースピードであるとする。この場合、リアコマンドダイヤルＤ１のイメージ画像ｉＤ１をサブディスプレー１６に表示する場合は、カメラの設定内容として表示する情報からシャッタースピードの情報を除外する。すなわち、絞り値、ＩＳＯ感度、及び、撮影可能枚数の情報をカメラの設定内容の情報として表示する。
【０１９５】
図１３は、リアコマンドダイヤルへの接触が一定時間以上継続して検出された場合のサブディスプレーの表示の一例を示す平面図である。同図は、リアコマンドダイヤルＤ１で設定する項目がシャッタースピードの場合の例を示している。
【０１９６】
同図に示すように、リアコマンドダイヤルＤ１で設定する項目がシャッタースピードである場合において、リアコマンドダイヤルＤ１のイメージ画像ｉＤ１をサブディスプレー１６に表示する場合、カメラの設定内容ｉＣからシャッタースピードの設定値の情報を除外する。すなわち、絞り値の設定値の情報ｉ２、ＩＳＯ感度の設定値の情報ｉ３、及び、撮影可能枚数の情報ｉ４だけをカメラの設定内容ｉＣとして表示する。
【０１９７】
これにより、重複した表示を排除でき、サブディスプレー１６の表示スペースを有効に活用できる。すなわち、カメラの設定内容ｉＣの情報を大きく表示でき、良好な視認性を確保できる。
【０１９８】
なお、リアコマンドダイヤルＤ１のイメージ画像ｉＤ１を表示しない場合は、シャッタースピードの設定値の情報を含めてカメラの設定内容ｉＣをサブディスプレー１６に表示する（図９参照）。
【０１９９】
《非接触時表示形態の変形例》
上記実施の形態では、リアコマンドダイヤルＤ１への指の接触が検出されていない場合、カメラの設定内容ｉＣだけをサブディスプレー１６に表示する構成としているが、リアコマンドダイヤルＤ１のイメージ画像ｉＤ１を出現させる際の基点となるマークを表示しておいてもよい。
【０２００】
図１４は、リアコマンドダイヤルへの接触が検出されていない場合のサブディスプレーの表示の変形例を示す平面図である。
【０２０１】
同図に示すように、リアコマンドダイヤルＤ１のイメージ画像ｉＤ１を出現させる際の基点となるマークｍＤ１をあらかじめ表示している。本例では、リアコマンドダイヤルＤ１のイメージ画像ｉＤ１を縮小した図形でマークｍＤ１を構成している。この場合、ほぼ円の図形でマークｍＤ１が構成される。
【０２０２】
リアコマンドダイヤルＤ１のイメージ画像ｉＤ１を出現させる場合は、このマークｍＤ１を基点として、イメージ画像ｉＤ１を徐々に拡大させながら出現させる。これにより、リアコマンドダイヤルＤ１のイメージ画像ｉＤ１が表示され得ること、及び、その表示位置をあらかじめ把握でき、良好な操作性を提供できる。また、マークｍＤ１は、小さく表示されるので、カメラの設定内容ｉＣの表示の視認性を損なうこともない。
【０２０３】
《リアコマンドダイヤルのイメージ画像の変形例》
上記実施の形態では、リアコマンドダイヤルＤ１のイメージ画像ｉＤ１として表示する画像を円形状の外形形状を有する画像で構成し、その内部にリアコマンドダイヤルＤ１によって設定変更される項目の現在の設定値を表示する構成としているが、リアコマンドダイヤルＤ１のイメージ画像ｉＤ１として表示する画像の形態は、これに限定されるものではない。
【０２０４】
図１５は、リアコマンドダイヤルへの接触が一定時間以上継続して検出された場合のサブディスプレーの表示の一例を示す平面図である。同図は、リアコマンドダイヤルＤ１のイメージ画像ｉＤ１の他の一例を示している。特に、同図は、リアコマンドダイヤルＤ１で設定する項目がシャッタースピードの場合の例を示している。
【０２０５】
図１６は、リアコマンドダイヤルで設定する項目がシャッタースピードの場合の例をイメージ画像の一例を示す図である。
【０２０６】
リアコマンドダイヤルＤ１で設定する項目がシャッタースピードの場合、そのイメージ画像ｉＤ１は、一般的なシャッタースピードダイヤルを模した画像で構成できる。図１６に示す例では、一般的なシャッタースピードダイヤルを平面視した画像でイメージ画像ｉＤ１を構成している。一般的なシャッタースピードダイヤルとは、天面の文字盤部分に選択可能なシャッタースピードが同一円周上に一定ピッチで表示されたダイヤルのことである。
【０２０７】
このように一般的なシャッタースピードダイヤルを模した画像でイメージ画像ｉＤ１を構成する場合、指標のイメージ画像ｉＩ１も表示される。図１６に示す例では、９時の位置に指標のイメージ画像ｉＩ１を表示している。この例の場合、現在の設定は１／６０秒である。なお、図１６に示す例では、指標で指し示し、かつ、現在の設定値を強調して表示している。すなわち、他の数値よりも大きなサイズで表示している。
【０２０８】
図１７は、リアコマンドダイヤルで設定する項目が絞り値の場合のイメージ画像の一例を示す図である。
【０２０９】
リアコマンドダイヤルＤ１で設定する項目が絞り値の場合、そのイメージ画像ｉＤ１は、一般的な絞り値の設定ダイヤルを模した画像で構成できる。図１７に示す例では、一般的な絞り値の設定ダイヤルを平面視した画像でイメージ画像ｉＤ１を構成している。一般的な絞り値の設定ダイヤルとは、天面の文字盤部分に選択可能な絞り値が同一円周上に一定ピッチで表示されたダイヤルのことである。
【０２１０】
図１８は、リアコマンドダイヤルで設定する項目が露出補正量の場合のイメージ画像の一例を示す図である。
【０２１１】
リアコマンドダイヤルＤ１で設定する項目が露出補正量の場合、そのイメージ画像ｉＤ１は、一般的な露出補正ダイヤルを模した画像で構成できる。図１８に示す例では、一般的な露出補正ダイヤルを平面視した画像でイメージ画像ｉＤ１を構成している。一般的な露出補正ダイヤルとは、天面の文字盤部分に選択可能な露出補正量が同一円周上に一定ピッチで表示されたダイヤルのことである。
【０２１２】
図１９は、リアコマンドダイヤルで設定する項目がＩＳＯ感度の場合のイメージ画像の一例を示す図である。
【０２１３】
リアコマンドダイヤルＤ１で設定する項目がＩＳＯ感度の場合、そのイメージ画像ｉＤ１は、一般的なＩＳＯ感度ダイヤルを模した画像で構成できる。図１９に示す例では、一般的なＩＳＯ感度ダイヤルを平面視した画像でイメージ画像ｉＤ１を構成している。一般的なＩＳＯ感度ダイヤルとは、天面の文字盤部分に選択可能なＩＳＯ感度が同一円周上に一定ピッチで表示されたダイヤルのことである。
【０２１４】
〔第２の実施の形態〕
本実施の形態のデジタルカメラでは、リアコマンドダイヤルＤ１に指が触れると、リアコマンドダイヤルＤ１のイメージ画像ｉＤ１が、サブディスプレー１６の縁から出現する。そして、一定時間以上継続して触れ続けると、あるいは、回転操作すると、縁から出現したリアコマンドダイヤルＤ１のイメージ画像ｉＤ１が、更に縁から進み出て大きく表示される。
【０２１５】
サブディスプレー１６への表示の仕方が異なるだけでデジタルカメラの構成自体は、上記第１の実施の形態のデジタルカメラと同じである。したがって、ここでは、サブディスプレー１６への表示の仕方（表示制御方法）についてのみ説明する。
【０２１６】
［サブディスプレーの表示］
サブディスプレー１６の表示は、サブディスプレー表示制御部１１４によって制御される。サブディスプレー表示制御部１１４は、リアコマンドダイヤルＤ１への指の接触の検出結果、及び、リアコマンドダイヤルＤ１の回転操作に基づいて、サブディスプレー１６の表示を切り替える。
【０２１７】
（１）非接触時の表示
リアコマンドダイヤルＤ１への接触が検出されていない場合のサブディスプレー１６の表示は、上記第１の実施の形態のデジタルカメラの場合と同じである。すなわち、図９に示すように、カメラの設定内容ｉＣだけがサブディスプレー１６に表示される。リアコマンドダイヤルＤ１への指の接触が検出されていない場合のサブディスプレー１６の表示形態を「非接触時表示形態」と称する。
【０２１８】
（２）接触時の表示
図２０は、リアコマンドダイヤルへの接触が検出された場合のサブディスプレーの表示の一例を示す平面図である。
【０２１９】
図２０に示すように、リアコマンドダイヤルＤ１への指の接触が検出されると、リアコマンドダイヤルＤ１のイメージ画像ｉＤ１の一部がサブディスプレー１６の縁から出現する。リアコマンドダイヤルＤ１への指の接触が検出された場合のサブディスプレー１６の表示形態を「接触時表示形態」と称する。
【０２２０】
リアコマンドダイヤルＤ１のイメージ画像ｉＤ１は、実際のリアコマンドダイヤルＤ１と同じサイズの円形状の画像で構成され、その内部にリアコマンドダイヤルＤ１によって設定される項目の設定値が表示される。図２０は、リアコマンドダイヤルＤ１によって設定される項目がシャッタースピードの場合の例を示しており、現在の設定値が１／６０秒の場合の例を示している。なお、図２０において、一点破線で示した部分は、表示領域外に現れる部分である。すなわち、リアコマンドダイヤルＤ１のイメージ画像ｉＤ１は、全体の一部のみがサブディスプレー１６に表示される。
【０２２１】
リアコマンドダイヤルＤ１のイメージ画像ｉＤ１は、リアコマンドダイヤルＤ１の設置箇所から最も近い辺の縁から出現する。本実施の形態のデジタルカメラは、リアコマンドダイヤルＤ１が背面に備えられているので、サブディスプレー１６の背面側の辺が、リアコマンドダイヤルＤ１から最も近い辺となる。したがって、本実施の形態のデジタルカメラでは、サブディスプレー１６の縁を構成する４つの辺のうち背面側の辺の縁からリアコマンドダイヤルＤ１が出現する。
【０２２２】
リアコマンドダイヤルＤ１のイメージ画像ｉＤ１は縁から出現する際、縁から徐々に進出しながら出現する。その様子が動画像として表示される。図２０において破線で示す円弧は、リアコマンドダイヤルＤ１のイメージ画像ｉＤ１が現れる様子を示したものである。
【０２２３】
リアコマンドダイヤルＤ１のイメージ画像ｉＤ１が出現する方向（進出する進行方向）は、リアコマンドダイヤルＤ１のイメージ画像ｉＤ１が出現する縁と直交する方向である。本実施の形態のデジタルカメラでは、背面側の辺の縁からリアコマンドダイヤルＤ１のイメージ画像ｉＤ１が出現する。したがって、リアコマンドダイヤルＤ１のイメージ画像ｉＤ１は、光軸に沿って前方向に移動（進出）しながら、徐々にその姿が現れる。この際、本実施の形態のデジタルカメラでは、実際のリアコマンドダイヤルＤ１の回転中心を通り、背面側の辺と直交する直線に沿ってリアコマンドダイヤルＤ１のイメージ画像ｉＤ１が移動し、縁から現れる。
【０２２４】
上記のように、リアコマンドダイヤルＤ１のイメージ画像ｉＤ１は、一部が縁から出現する。したがって、前方向に移動しながら縁から徐々に現れたイメージ画像ｉＤ１は、一定量表示されると、その移動が停止する。本実施の形態のデジタルカメラ１では、図２０に示すように、おおよそ全体の１／３程度が表示されると、イメージ画像ｉＤ１の移動が停止する。このときの表示量を第１の表示量とする。表示量とは、換言すると、イメージ画像ｉＤ１の全体のうち実際にサブディスプレー１６の表示面に表示される割合のことである。
【０２２５】
このように、リアコマンドダイヤルＤ１に触れると、リアコマンドダイヤルＤ１のイメージ画像ｉＤ１が縁から徐々に現れて表示される。これにより、ユーザーの注意をサブディスプレー１６に向けることができる。
【０２２６】
なお、リアコマンドダイヤルＤ１のイメージ画像ｉＤ１を消去する場合は、縁から徐々に退避させて消去する。
【０２２７】
リアコマンドダイヤルＤ１のイメージ画像ｉＤ１がサブディスプレー１６に表示されると、その表示を避けるようにして、カメラの設定内容ｉＣの表示レイアウトが変更される。すなわち、各項目の情報が、リアコマンドダイヤルＤ１のイメージ画像ｉＤ１と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。これにより、リアコマンドダイヤルＤ１のイメージ画像ｉＤ１とカメラの設定内容ｉＣとが重なって表示されるのを回避できる。
【０２２８】
なお、本例では、重複した表示を避けるため、リアコマンドダイヤルＤ１で設定される項目の情報をカメラの設定内容ｉＣの情報から削除している。すなわち、シャッタースピードの設定値の情報をカメラの設定内容ｉＣから削除して表示している。
【０２２９】
（３）操作時の表示
図２１は、リアコマンドダイヤルへの接触が一定時間以上継続して検出された場合のサブディスプレーの表示の一例を示す平面図である。リアコマンドダイヤルＤ１が回転操作された場合も同様の表示となる。リアコマンドダイヤルＤ１への接触が一定時間以上継続して検出された場合、及び、リアコマンドダイヤルＤ１が回転操作された場合のサブディスプレー１６の表示形態を「操作時表示形態」と称する。
【０２３０】
リアコマンドダイヤルＤ１への指の接触が検出された後、そのまま継続して接触が検出され続けると、あるいは、リアコマンドダイヤルＤ１が回転操作されると、サブディスプレー１６に出現したリアコマンドダイヤルＤ１のイメージ画像ｉＤ１が、更に前方向に進み出て大きく表示される。図２１において、破線で示した円弧は、リアコマンドダイヤルＤ１のイメージ画像ｉＤ１が移動する様子を示したものである。
【０２３１】
サブディスプレー表示制御部１１４は、サブディスプレー１６に出現させたリアコマンドダイヤルＤ１のイメージ画像ｉＤ１を更に前方向に進出させて、所定位置で停止させる。この位置は、実際のリアコマンドダイヤルＤ１と同軸上に表示される位置である。
【０２３２】
リアコマンドダイヤルＤ１のイメージ画像ｉＤ１は、実際のリアコマンドダイヤルＤ１と同軸上に表示されることにより、第１の表示量よりも多い第２の表示量でサブディスプレー１６に表示される。
【０２３３】
上記のように、リアコマンドダイヤルＤ１のイメージ画像ｉＤ１は、実際のリアコマンドダイヤルＤ１と同じサイズの画像で構成されるので、実際のリアコマンドダイヤルＤ１と同軸上に表示されることにより、その画像は、カメラボディ１０から露出したリアコマンドダイヤルＤ１の外周の一部を延長した円弧状の外形形状を有する画像となる。
【０２３４】
リアコマンドダイヤルＤ１のイメージ画像ｉＤ１が、縁から更に進出して表示されると、その表示を避けるようにして、カメラの設定内容ｉＣの表示レイアウトが変更される。すなわち、各項目の情報が、リアコマンドダイヤルＤ１のイメージ画像ｉＤ１と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。これにより、リアコマンドダイヤルＤ１のイメージ画像ｉＤ１とカメラの設定内容ｉＣとが重なって表示されるのを回避できる。
【０２３５】
なお、進出中にリアコマンドダイヤルＤ１への接触が検出されなくなった場合は、イメージ画像ｉＤ１の進出が中止され、第１の表示量に戻される。この場合、徐々に退避して、第１の表示量に戻される。なお、第１の表示量に戻すのではなく、イメージ画像自体の表示を消去してもよい。
【０２３６】
このように、本実施の形態のデジタルカメラでは、リアコマンドダイヤルＤ１への接触が検出されると、リアコマンドダイヤルＤ１のイメージ画像ｉＤ１が、サブディスプレー１６の縁から表示される。この場合、上記第１の実施の形態のデジタルカメラと同様に、カメラの設定内容ｉＣに関して良好な視認性を確保しつつ、良好な操作性を提供できる。
【０２３７】
なお、リアコマンドダイヤルＤ１のイメージ画像ｉＤ１を表示した場合において、リアコマンドダイヤルＤ１が回転操作された場合は、リアコマンドダイヤルＤ１のイメージ画像ｉＤ１が回転される。これにより、操作していることをより明確にできる。
【０２３８】
また、リアコマンドダイヤルＤ１のイメージ画像ｉＤ１を消去する場合は、縁から徐々に退避させて消去する。
【０２３９】
［変形例］
上記第１の実施の形態のデジタルカメラで説明した各変形例は、本実施の形態のデジタルカメラにも適用可能である。
【０２４０】
《非接触時表示形態の変形例》
上記実施の形態では、リアコマンドダイヤルＤ１への指の接触が検出されていない場合、カメラの設定内容ｉＣだけをサブディスプレー１６に表示する構成としているが、リアコマンドダイヤルＤ１のイメージ画像ｉＤ１が出現する位置にリアコマンドダイヤルＤ１のイメージ画像ｉＤ１の外周の一部を表示しておいてもよい。
【０２４１】
図２２は、リアコマンドダイヤルへの接触が検出されていない場合のサブディスプレーの表示の変形例を示す平面図である。
【０２４２】
同図に示すように、リアコマンドダイヤルＤ１のイメージ画像ｉＤ１が出現する位置にリアコマンドダイヤルＤ１のイメージ画像ｉＤ１の外周の一部を表示している。これにより、リアコマンドダイヤルＤ１のイメージ画像ｉＤ１が表示され得ること、及び、その出現位置をあらかじめ把握でき、良好な操作性を提供できる。また、イメージ画像は、外周の一部のみが表示されるので、カメラの設定内容ｉＣの表示の視認性を損なうこともない。
【０２４３】
〔第３の実施の形態〕
本実施の形態のデジタルカメラは、リアコマンドダイヤルＤ１をロックするロック部を備え、そのロック部のロック状況に応じて、サブディスプレー１６の表示が切り替えられる。
【０２４４】
［構成］
図２３、図２４は、それぞれ本発明が適用されたデジタルカメラの第３の実施の形態の背面図、平面図である。
【０２４５】
図２３及び図２４に示すように、デジタルカメラ１には、リアコマンドダイヤルＤ１をロックするリアコマンドダイヤルロックスイッチＤＬ１が備えられる。
【０２４６】
リアコマンドダイヤルロックスイッチＤＬ１は、ロック部の一例である。リアコマンドダイヤルロックスイッチＤＬ１は、リアコマンドダイヤルＤ１の近傍に備えられる。本実施の形態のデジタルカメラ１では、リアコマンドダイヤルＤ１と並列してカメラボディ１０の背面に備えられる。
【０２４７】
リアコマンドダイヤルロックスイッチＤＬ１は、スライド式のスイッチで構成される。リアコマンドダイヤルロックスイッチＤＬ１は、ロック位置とアンロック位置との間をスライド移動可能に設けられる。リアコマンドダイヤルロックスイッチＤＬ１をロック位置にセットすると、システムコントローラー８０にリアコマンドダイヤルＤ１のロックが指示される。一方、リアコマンドダイヤルロックスイッチＤＬ１をアンロック位置にセットすると、システムコントローラー８０にリアコマンドダイヤルＤ１のロック解除が指示される。
【０２４８】
システムコントローラー８０は、リアコマンドダイヤルＤ１のロックが指示されると、リアコマンドダイヤルＤ１を電子的にロックする。すなわち、リアコマンドダイヤルＤ１が回転操作されても、その操作を無効にする。この場合、リアコマンドダイヤルＤ１は空回りすることになる。
【０２４９】
電子的にロックされたリアコマンドダイヤルＤ１は、リアコマンドダイヤルロックスイッチＤＬ１をアンロック位置にセットすることにより、ロックが解除される。
【０２５０】
［サブディスプレーの表示］
リアコマンドダイヤルＤ１がロックされている場合、サブディスプレー１６には、カメラの設定内容ｉＣだけが表示される。
【０２５１】
リアコマンドダイヤルＤ１のロックが解除されると、サブディスプレー１６にリアコマンドダイヤルＤ１のイメージ画像ｉＤ１が出現する。この際、イメージ画像ｉＤ１は、小さな第１のサイズで表示される。
【０２５２】
リアコマンドダイヤルＤ１のロックが解除された状態でリアコマンドダイヤルＤ１への指の接触が検出されると、サブディスプレー１６に表示されているリアコマンドダイヤルＤ１のイメージ画像ｉＤ１が拡大して表示される。
【０２５３】
以下、場合を分けて具体的に説明する。
【０２５４】
（１）ロック時の表示
図２５は、リアコマンドダイヤルがロックされている場合のサブディスプレーの表示の一例を示す平面図である。
【０２５５】
リアコマンドダイヤルＤ１がロックされている場合、サブディスプレー１６には、カメラの設定内容ｉＣだけが表示される。リアコマンドダイヤルＤ１がロックされている場合のサブディスプレー１６の表示形態を「ロック時表示形態」と称する。
【０２５６】
本実施の形態のデジタルカメラ１では、デジタルカメラ１の設定内容ｉＣの情報として、現在設定されているシャッタースピードの情報ｉ１、現在設定されている絞り値の情報ｉ２、現在設定されているＩＳＯ感度の情報ｉ３、及び、現在の撮影可能枚数の情報ｉ４が表示される。
【０２５７】
なお、図２５には、現在設定されているシャッタースピードが１／６０秒、絞り値がＦ５．６、ＩＳＯ感度がＩＳＯ４００、撮影可能枚数が９９枚の場合の例が示されている。
【０２５８】
これらの情報は、規定のレイアウトで表示される。すなわち、各情報は、決められた位置に決められたサイズで表示される。本例では、画面を４等分割し、各情報を均等に表示している。
【０２５９】
（２）ロック解除時の表示
図２６は、リアコマンドダイヤルのロックが解除された場合のサブディスプレーの表示の一例を示す平面図である。
【０２６０】
リアコマンドダイヤルＤ１のロックが解除されると、サブディスプレー１６には、リアコマンドダイヤルＤ１のイメージ画像ｉＤ１が出現する。リアコマンドダイヤルＤ１のロックが解除された場合のサブディスプレー１６の表示形態を「ロック解除時表示形態」と称する。
【０２６１】
なお、ロック解除時表示形態は、上記第１の実施の形態のデジタルカメラにおいて、リアコマンドダイヤルＤ１への接触が検出された場合のサブディスプレー１６の表示形態と同じである。すなわち、リアコマンドダイヤルＤ１のイメージ画像ｉＤ１が、実際のリアコマンドダイヤルＤ１の回転軸Ｄ１ｏと同軸上に第１のサイズで表示される。
【０２６２】
（３）接触時の表示
図２７は、リアコマンドダイヤルのロックが解除された状態でリアコマンドダイヤルへの接触が検出された場合のサブディスプレーの表示の一例を示す平面図である。
【０２６３】
図２７に示すように、リアコマンドダイヤルＤ１のロックが解除された状態でリアコマンドダイヤルＤ１への指の接触が検出されると、サブディスプレー１６に表示されているリアコマンドダイヤルＤ１のイメージ画像ｉＤ１が拡大して表示される。リアコマンドダイヤルＤ１のロックが解除された状態でリアコマンドダイヤルＤ１への指の接触が検出された場合のサブディスプレー１６の表示形態を「ロック解除かつ接触時表示形態」と称する。
【０２６４】
なお、ロック解除かつ接触時表示形態は、上記第１の実施の形態のデジタルカメラにおいて、リアコマンドダイヤルＤ１が回転操作された場合のサブディスプレー１６の表示形態と同じである。すなわち、カメラボディ１０から露出したリアコマンドダイヤルＤ１の外周の一部を延長した円弧状の外形形状を有する画像で構成される。
【０２６５】
リアコマンドダイヤルＤ１が回転操作された場合は、リアコマンドダイヤルＤ１のイメージ画像ｉＤ１が回転される。これにより、操作していることをより明確にできる。
【０２６６】
《サブディスプレーの表示制御方法》
図２８及び図２９は、サブディスプレーの表示制御の処理手順を示すフローチャートである。
【０２６７】
デジタルカメラ１の電源が投入されると、サブディスプレー表示制御部１１４は、リアコマンドダイヤルＤ１がロックされているか否かを判定する（ステップＳ３０）。
【０２６８】
リアコマンドダイヤルＤ１がロックされている、と判定すると、サブディスプレー表示制御部１１４は、ロック時表示形態でサブディスプレー１６に情報を表示する（ステップＳ３１）。すなわち、図２５に示すように、カメラの設定内容ｉＣだけをサブディスプレー１６に表示する。この後、サブディスプレー表示制御部１１４は、デジタルカメラ１の電源がオフされたか否かを判定する（ステップＳ３２）。デジタルカメラ１の電源がオフされた、と判定すると、処理を終了する。一方、デジタルカメラ１の電源がオフされていない、と判定すると、ステップＳ３０の処理に戻り、リアコマンドダイヤルＤ１がロックされているか否かを判定する。
【０２６９】
ステップＳ３０において、リアコマンドダイヤルＤ１がロックされていない、と判定すると、サブディスプレー表示制御部１１４は、ロック解除時表示形態でサブディスプレー１６に情報を表示する（ステップＳ４０）。すなわち、図２６に示すように、リアコマンドダイヤルＤ１のイメージ画像ｉＤ１をサブディスプレー１６に出現させる。この後、サブディスプレー表示制御部１１４は、タッチセンサーＤ１ｂの出力に基づいて、リアコマンドダイヤルＤ１への指の接触の検出の有無を判定する（ステップＳ４１）。
【０２７０】
リアコマンドダイヤルＤ１への指の接触の検出なし、と判定すると、サブディスプレー表示制御部１１４は、デジタルカメラ１の電源がオフされたか否かを判定する（ステップＳ４２）。デジタルカメラ１の電源がオフされた、と判定すると、処理を終了する。一方、デジタルカメラ１の電源がオフされていない、と判定すると、ステップＳ４１の処理に戻り、リアコマンドダイヤルＤ１への指の接触の検出の有無を判定する（ステップＳ４１）。
【０２７１】
ステップＳ４１において、リアコマンドダイヤルＤ１への指の接触の検出あり、と判定すると、サブディスプレー表示制御部１１４は、ロック解除かつ接触時表示形態でサブディスプレー１６に情報を表示する（ステップＳ４３）。すなわち、図２７に示すように、サブディスプレー１６に出現させたリアコマンドダイヤルＤ１のイメージ画像ｉＤ１を拡大させ、第２のサイズでリアコマンドダイヤルＤ１のイメージ画像ｉＤ１を表示する。
【０２７２】
この後、サブディスプレー表示制御部１１４は、リアコマンドダイヤルＤ１への接触の検出が継続されているか否かを判定する（ステップＳ４４）。
【０２７３】
継続して接触が検出されている、と判定すると、サブディスプレー表示制御部１１４は、デジタルカメラ１の電源がオフされたか否かを判定する（ステップＳ４５）。デジタルカメラ１の電源がオフされた、と判定すると、処理を終了する。一方、デジタルカメラ１の電源がオフされていない、と判定すると、ステップＳ４４の処理に戻り、リアコマンドダイヤルＤ１への接触の検出が継続されているか否かを判定する（ステップＳ４４）。
【０２７４】
ステップＳ４４において、リアコマンドダイヤルＤ１への接触が継続して検出されていない、と判定すると、サブディスプレー表示制御部１１４は、ステップＳ４０に戻り、サブディスプレー１６の表示をロック解除時表示形態に切り替える（ステップＳ４０）。
【０２７５】
このように、本実施の形態のデジタルカメラ１では、リアコマンドダイヤルＤ１のロック状態に応じてサブディスプレー１６の表示が切り替えられる。また、リアコマンドダイヤルＤ１のロックが解除された場合には、リアコマンドダイヤルＤ１への指の接触の検出結果に基づいて、サブディスプレー１６の表示が切り替えられる。リアコマンドダイヤルＤ１がロックされている場合は、ユーザーにリアコマンドダイヤルＤ１を使用する意図がない、ということである。したがって、この場合は、サブディスプレー１６からリアコマンドダイヤルＤ１のイメージ画像ｉＤ１の表示を排除することにより、サブディスプレー１６に表示されるカメラの設定内容ｉＣの視認性を良好に確保できる。一方、リアコマンドダイヤルＤ１のロックを解除した場合は、サブディスプレー１６にリアコマンドダイヤルＤ１のイメージ画像ｉＤ１が表示されるので、リアコマンドダイヤルＤ１で操作する際、良好な操作性を提供できる。また、リアコマンドダイヤルＤ１のイメージ画像ｉＤ１は、リアコマンドダイヤルＤ１に触れていない場合は、小さく表示されるので、カメラの設定内容ｉＣの視認性を阻害することもない。
【０２７６】
［変形例］
上記第１又は第２の実施の形態のデジタルカメラで説明した各変形例は、本実施の形態のデジタルカメラにも適用可能である。
【０２７７】
《ロック解除時のサブディスプレーの表示の変形例》
リアコマンドダイヤルＤ１のロックが解除されると、所定のマークが出現する構成としてもよい。このマークは、リアコマンドダイヤルＤ１のイメージ画像ｉＤ１を出現させる際の基点となるマークである。この場合、リアコマンドダイヤルＤ１への指の接触が検出されると、マークを基点としてリアコマンドダイヤルＤ１のイメージ画像ｉＤ１を出現させる構成とする。また、この場合、第１のサイズでリアコマンドダイヤルＤ１のイメージ画像ｉＤ１を出現させてもよい。接触が検出された場合に第１のサイズでリアコマンドダイヤルＤ１のイメージ画像ｉＤ１を出現させる場合は、更に一定時間以上継続して接触が検出されると、あるいは、リアコマンドダイヤルＤ１が回転操作されると、リアコマンドダイヤルＤ１のイメージ画像ｉＤ１が第２のサイズまで拡大して表示される構成とする。以下、この場合のサブディスプレー１６の表示例を図３０から図３２に基づいて説明する。
【０２７８】
図３０は、リアコマンドダイヤルのロックが解除された場合にマークを出現させる場合のサブディスプレーの表示の一例を示す平面図である。
【０２７９】
本例では、リアコマンドダイヤルＤ１のイメージ画像ｉＤ１を縮小した図形でマークｍＤ１を構成している。マークｍＤ１は、小さいのでカメラの設定内容ｉＣの視認性を損なうことがない。
【０２８０】
図３１は、リアコマンドダイヤルへの指の接触が検出された場合のサブディスプレーの表示の一例を示す平面図である。
【０２８１】
同図に示すように、接触が検出された場合は、マークｍＤ１を基点として、イメージ画像ｉＤ１を出現させる。この際、マークｍＤ１を基点として、徐々に外径を拡大させながら、リアコマンドダイヤルＤ１のイメージ画像ｉＤ１を出現させる。そして、最終的に第１のサイズで表示する。
【０２８２】
図３２は、一定時間以上継続して接触が検出された場合、及び、回転操作された場合のサブディスプレーの表示の一例を示す平面図である。
【０２８３】
リアコマンドダイヤルＤ１のイメージ画像ｉＤ１を出現させた後に、リアコマンドダイヤルＤ１が回転操作された場合、あるいは、継続して一定時間以上接触が検出された場合は、イメージ画像ｉＤ１を拡大させて、第２のサイズで表示する。
【０２８４】
〔第４の実施の形態〕
本実施の形態のデジタルカメラでは、リアコマンドダイヤルＤ１のロックが解除されると、リアコマンドダイヤルＤ１のイメージ画像ｉＤ１が、サブディスプレー１６の縁から出現する。そして、ロックが解除された状態で接触が検出されると、縁から出現したリアコマンドダイヤルＤ１のイメージ画像ｉＤ１が、更に縁から進み出て大きく表示される。
【０２８５】
サブディスプレー１６への表示の仕方が異なるだけでデジタルカメラの構成自体は、上記第３の実施の形態のデジタルカメラと同じである。したがって、ここでは、サブディスプレー１６への表示の仕方（表示制御方法）についてのみ説明する。
【０２８６】
［サブディスプレーの表示］
サブディスプレー１６の表示は、サブディスプレー表示制御部１１４によって制御される。サブディスプレー表示制御部１１４は、リアコマンドダイヤルＤ１のロック状態、及び、リアコマンドダイヤルＤ１への指の接触の検出結果に基づいて、サブディスプレー１６の表示を切り替える。
【０２８７】
（１）ロック時の表示
リアコマンドダイヤルＤ１がロックされている場合のサブディスプレー１６の表示は、上記第３の実施の形態のデジタルカメラの場合と同じである。すなわち、図２５に示すように、カメラの設定内容ｉＣだけがサブディスプレー１６に表示される。
【０２８８】
（２）ロック解除時の表示
図３３は、リアコマンドダイヤルのロックが解除された場合のサブディスプレーの表示の一例を示す平面図である。
【０２８９】
図３３に示すように、リアコマンドダイヤルＤ１のロックが解除されると、リアコマンドダイヤルＤ１のイメージ画像ｉＤ１の一部がサブディスプレー１６の縁から出現する。なお、この表示形態は、上記第２の実施の形態のデジタルカメラにおいて、リアコマンドダイヤルＤ１への接触が検出された場合のサブディスプレー１６の表示形態と同じである。
【０２９０】
（３）接触時の表示
図３４は、リアコマンドダイヤルのロックが解除された状態でリアコマンドダイヤルへの接触が検出された場合のサブディスプレーの表示の一例を示す平面図である。
【０２９１】
図３４に示すように、リアコマンドダイヤルＤ１のロックが解除された状態でリアコマンドダイヤルＤ１への指の接触が検出されると、サブディスプレー１６に出現したリアコマンドダイヤルＤ１のイメージ画像ｉＤ１が、更に前方向に進み出て大きく表示される。なお、この表示形態は、上記第２の実施の形態のデジタルカメラにおいて、リアコマンドダイヤルＤ１が回転操作された場合のサブディスプレー１６の表示形態と同じである。
【０２９２】
このように、本実施の形態のデジタルカメラでは、リアコマンドダイヤルＤ１のロックが解除されると、リアコマンドダイヤルＤ１のイメージ画像ｉＤ１が、サブディスプレー１６の縁から表示される。この場合、上記第３の実施の形態のデジタルカメラと同様に、カメラの設定内容ｉＣに関して良好な視認性を確保しつつ、良好な操作性を提供できる。
【０２９３】
［変形例］
上記第１〜第３の実施の形態のデジタルカメラで説明した各変形例は、本実施の形態のデジタルカメラにも適用可能である。
【０２９４】
《ロック解除時のサブディスプレーの表示の変形例》
リアコマンドダイヤルＤ１のロックが解除されると、リアコマンドダイヤルＤ１のイメージ画像のｉＤ１の外周の一部が縁から出現する構成としてもよい。この場合、リアコマンドダイヤルＤ１への指の接触が検出されると、リアコマンドダイヤルＤ１のイメージ画像ｉＤ１が、更に進み出て表示される構成とする。また、この場合、第１の表示量で表示してもよい。接触が検出された場合に第１の表示量でリアコマンドダイヤルＤ１のイメージ画像ｉＤ１を出現させる場合は、更に一定時間以上継続して接触が検出されると、あるいは、リアコマンドダイヤルＤ１が回転操作されると、リアコマンドダイヤルＤ１のイメージ画像ｉＤ１が第２の表示量で表示される構成とする。以下、この場合のサブディスプレー１６の表示例を図３５から図３７に基づいて説明する。
【０２９５】
図３５は、リアコマンドダイヤルのロックが解除された場合にリアコマンドダイヤルのイメージ画像の外周の一部を縁から出現させる場合のサブディスプレーの表示の一例を示す平面図である。
【０２９６】
同図に示すように、リアコマンドダイヤルＤ１のロックが解除された場合、リアコマンドダイヤルＤ１のイメージ画像のｉＤ１の外周の一部をサブディスプレー１６の縁から出現させる。
【０２９７】
図３６は、リアコマンドダイヤルへの指の接触が検出された場合のサブディスプレーの表示の一例を示す平面図である。
【０２９８】
接触が検出された場合は、リアコマンドダイヤルのイメージ画像ｉＤ１を更に縁から進み出させて、第１の表示量で表示する。
【０２９９】
図３７は、一定時間以上継続して接触が検出された場合、及び、回転操作された場合のサブディスプレーの表示の一例を示す平面図である。
【０３００】
その後、リアコマンドダイヤルＤ１が回転操作された場合、あるいは、継続して一定時間以上接触が検出された場合は、リアコマンドダイヤルのイメージ画像ｉＤ１を更に縁から進み出させて、第２の表示量で表示する。
【０３０１】
〔第５の実施の形態〕
本実施の形態のデジタルカメラでは、あらかじめサブディスプレーにリアコマンドダイヤルのイメージ画像が表示される。リアコマンドダイヤルのイメージ画像は、リアコマンドダイヤルへの指の接触が検出されている場合とされていない場合とで表示形態が切り替えられる。
【０３０２】
サブディスプレー１６への表示の仕方が異なるだけでデジタルカメラの構成自体は、上記第１の実施の形態のデジタルカメラと同じである。したがって、ここでは、サブディスプレー１６への表示の仕方（表示制御方法）についてのみ説明する。
【０３０３】
［サブディスプレーの表示］
サブディスプレー１６の表示は、サブディスプレー表示制御部１１４によって制御される。サブディスプレー表示制御部１１４は、リアコマンドダイヤルＤ１への指の接触の検出結果に基づいて、サブディスプレー１６の表示を切り替える。
【０３０４】
（１）非接触時の表示
図３８は、リアコマンドダイヤルへの接触が検出されていない場合のサブディスプレーの表示の一例を示す平面図である。なお、同図は、リアコマンドダイヤルＤ１によって設定される項目がシャッタースピードの場合の例を示している。
【０３０５】
同図に示すように、サブディスプレー１６には、カメラの設定内容ｉＣの情報、及び、リアコマンドダイヤルＤ１のイメージ画像ｉＤ１が表示される。
【０３０６】
《カメラの設定内容》
本実施の形態のデジタルカメラでは、デジタルカメラ１の設定内容ｉＣの情報として、現在設定されている絞り値の情報ｉ２、現在設定されているＩＳＯ感度の情報ｉ３、現在の撮影可能枚数の情報ｉ４、及び、現在設定されている撮影モードの情報ｉ５が表示される。
【０３０７】
なお、カメラの設定内容ｉＣの情報にシャッタースピードの情報が含まれていないのは、リアコマンドダイヤルＤ１によって設定される項目がシャッタースピードだからである。カメラの設定内容ｉＣは、リアコマンドダイヤルＤ１によって設定される項目を除いた項目の情報が表示される。したがって、たとえば、リアコマンドダイヤルＤ１によって設定される項目が絞り値の場合は、絞り値の情報が除かれて、カメラの設定内容ｉＣの情報が表示される。
【０３０８】
図３８には、現在設定されている撮影モードがシャッタースピード優先、絞り値がＦ５．６、ＩＳＯ感度がＩＳＯ４００、撮影可能枚数が９９枚の場合の例が示されている。
【０３０９】
なお、撮影モードの情報ｉ５については、モードごとに用意されたアイコンが表示される。アイコンは、図３８に示すように、矩形の枠内に各モードを表わすアルファベット１文字が表示される。アルファベットは、たとえば、プログラムモードの場合はＰ、シャッタースピード優先モードの場合はＳ、絞り優先モードの場合はＡ、マニュアルモードの場合はＭと表示される。
【０３１０】
カメラの設定内容ｉＣは、余白位置に規定のレイアウトで表示される。
【０３１１】
《リアコマンドダイヤルのイメージ画像》
リアコマンドダイヤルＤ１のイメージ画像ｉＤ１は、カメラボディ１０から露出したリアコマンドダイヤルＤ１の外周の一部を延長した円弧状の外形形状を有する画像で構成される。この画像は、リアコマンドダイヤルＤ１の隠れた部分を補完する画像となる。
【０３１２】
リアコマンドダイヤルＤ１のイメージ画像ｉＤ１は、その内部にリアコマンドダイヤルＤ１によって設定される項目の設定値が表示される。本例では、リアコマンドダイヤルＤ１によって設定される項目がシャッタースピードなので、シャッタースピードの現在の設定値が表示される。図３８は、現在のシャッタースピードの設定値が１／６０秒の場合の例を示している。
【０３１３】
このように、外形を構成する図形の内部に現在の設定値を表示した形態の図形でリアコマンドダイヤルＤ１のイメージ画像ｉＤ１を構成することにより、リアコマンドダイヤルＤ１によって設定される項目の現在の設定を容易に確認できる。
【０３１４】
（２）接触時の表示
図３９は、リアコマンドダイヤルへの接触が検出されている場合のサブディスプレーの表示の一例を示す平面図である。
【０３１５】
同図に示すように、リアコマンドダイヤルＤ１への指の接触が検出されると、リアコマンドダイヤルＤ１のイメージ画像ｉＤ１の表示形態が切り替えられる。
【０３１６】
リアコマンドダイヤルＤ１への指の接触が検出された場合のリアコマンドダイヤルＤ１のイメージ画像ｉＤ１は、リアコマンドダイヤルＤ１を操作することにより、設定の変更が可能であることを表わす画像で構成される。
【０３１７】
本例では、一般的なシャッタースピードダイヤルを模した画像で構成している。すなわち、一般的なシャッタースピードダイヤルを平面視した画像でイメージ画像ｉＤ１を構成している。
【０３１８】
このように一般的なシャッタースピードダイヤルを模した画像でイメージ画像ｉＤ１を構成することにより、ユーザーは、サブディスプレー１６の表示からリアコマンドダイヤルＤ１を操作することにより、設定の変更が可能である一目で把握できる。また、表示形態を切り替えることにより、ユーザーの注意をサブディスプレー１６に向けることができる。
【０３１９】
特に、本例では、リアコマンドダイヤルＤ１のイメージ画像ｉＤ１の外径と、実際のリアコマンドダイヤルＤ１の外径とが、ほぼ一致しているため、サブディスプレー１６の表示からリアコマンドダイヤルＤ１を操作することにより、設定の変更が可能である容易に把握できる。
【０３２０】
このように、本実施の形態のデジタルカメラ１によれば、リアコマンドダイヤルＤ１に触れると、サブディスプレー１６に表示されているリアコマンドダイヤルＤ１のイメージ画像ｉＤ１の表示形態が切り替えられる。これにより、リアコマンドダイヤルＤ１を操作する際、サブディスプレー１６を使用しながら、簡単に設定を行うことができる。また、表示の切り替わりによりユーザーの注意が向くので、初めて使うユーザーであっても、戸惑うことなく操作できる。
【０３２１】
［変形例］
《リアコマンドダイヤルのイメージ画像の変形例》
図４０は、リアコマンドダイヤルへの接触が検出されている場合のサブディスプレーの表示の他の一例を示す平面図である。
【０３２２】
本例の場合、リアコマンドダイヤルへの接触が検出されると、リアコマンドダイヤルＤ１のイメージ画像ｉＤ１の内部に表示された現在の設定値が点滅する。
【０３２３】
すなわち、本例の場合、接触が検出されていない場合は、内部の設定値が静止して表示され、接触が検出されると、内部の設定値が点滅して表示される。
【０３２４】
これにより、サブディスプレー１６の表示からリアコマンドダイヤルＤ１の設定変更が可能であることを把握できる。
【０３２５】
図４１は、リアコマンドダイヤルへの接触が検出されていない場合のサブディスプレーの表示の他の一例を示す平面図である。
【０３２６】
本例の場合、リアコマンドダイヤルＤ１のイメージ画像ｉＤ１の内部において、現在の設定値が括弧内に表示される。
【０３２７】
このように、現在の設定値を括弧内に表示することにより、設定が固定されていることを把握できる。
【０３２８】
なお、本例の場合、リアコマンドダイヤルへの接触が検出されると、括弧が外れる。すなわち、図３８に示す表示となる。
【０３２９】
《切り替え動作の変形例》
上記実施の形態では、リアコマンドダイヤルＤ１への指の接触が検出されると、リアコマンドダイヤルＤ１のイメージ画像ｉＤ１の表示形態が切り替わる構成とされているが、リアコマンドダイヤルＤ１が回転操作されると、リアコマンドダイヤルＤ１のイメージ画像ｉＤ１の表示形態が切り替わる構成にしてもよい。
【０３３０】
〔第６の実施の形態〕
操作ダイヤルは、複数備えることができる。以下、カメラボディに複数の操作ダイヤルを備える場合の例について説明する。
【０３３１】
《構成》
図４２、図４３、図４４は、それぞれ第６の実施の形態のデジタルカメラの正面図、背面図、平面図である。
【０３３２】
図４２から図４４に示すように、本実施の形態のデジタルカメラ１は、サブディスプレー１６の近傍に複数の操作ダイヤルを備える。具体的には、第１の操作ダイヤルとして、カメラボディ１０の背面にリアコマンドダイヤルＤ１が備えられる。また、第２の操作ダイヤルとして、カメラボディ１０の正面にフロントコマンドダイヤルＤ２が備えられる。更に、第３の操作ダイヤルとして、カメラボディ１０の天面に天面コマンドダイヤルＤ３が備えられる。いずれもサブディスプレー１６の近傍に備えられる。
【０３３３】
ここで、近傍とは、図４２から図４４に示すように、サブディスプレー１６と操作ダイヤルとが隣接して配置される程度の距離関係をいう。
【０３３４】
各操作ダイヤルをサブディスプレー１６の近傍に配置することにより、両者の連関性を高めて、より良好な操作性を提供できる。すなわち、操作ダイヤルのすぐ近くで設定を確認できるので、視線移動を少なくでき、ストレスのない良好な操作性を提供できる。また、直感的な操作も実現できる。
【０３３５】
リアコマンドダイヤルＤ１は、上記第１の実施の形態のリアコマンドダイヤルＤ１と同じである。リアコマンドダイヤルＤ１は、サブディスプレー１６に対して後方に備えられる。
【０３３６】
フロントコマンドダイヤルＤ２は、グリップ２２の上端部に備えられる。フロントコマンドダイヤルＤ２は、サブディスプレー１６に対して前方に備えられる。フロントコマンドダイヤルＤ２の構成は、リアコマンドダイヤルＤ１の構成と同じである。すなわち、双方向に回転操作可能であり、かつ、クリック機構を備えている。また、その接触がタッチセンサーによって検出される。
【０３３７】
天面コマンドダイヤルＤ３は、カメラボディ１０の天面においてグリップ部側の端部に備えられる。天面コマンドダイヤルＤ３は、サブディスプレー１６に対して右側に備えられる。天面コマンドダイヤルＤ３は、全体が露出して設けられている点以外は、リアコマンドダイヤルＤ１の構成と同じである。すなわち、双方向に回転操作可能であり、かつ、クリック機構を備えている。また、その接触がタッチセンサーによって検出される。
【０３３８】
操作ダイヤルを複数備えている点以外の構成は、上記第１の実施の形態のデジタルカメラと同じである。したがって、その説明は省略する。
【０３３９】
《サブディスプレーの表示》
サブディスプレー１６の表示は、各操作ダイヤルへの接触の検出、及び、各操作ダイヤルの操作に応じて切り替えられる。以下、サブディスプレー１６の表示の切り替わりについて説明する。
【０３４０】
なお、以下においては、リアコマンドダイヤルＤ１にシャッタースピードを設定する機能が割り当てられ、フロントコマンドダイヤルＤ２にＩＳＯ感度を設定する機能が割り当てられ、天面コマンドダイヤルＤ３に露出補正量を設定する機能が割り当てられている場合を例に説明する。
【０３４１】
（１）非接触時の表示
図４５は、すべての操作ダイヤルへの接触が検出されていない場合のサブディスプレーの表示の一例を示す平面図である。
【０３４２】
上記のように、すべての操作ダイヤルへの指の接触が検出されていない場合、サブディスプレー１６には、カメラの設定内容ｉＣだけが表示される。
【０３４３】
本実施の形態のデジタルカメラ１では、デジタルカメラ１の設定内容ｉＣの情報として、現在設定されているシャッタースピードの情報ｉ１、現在設定されている絞り値の情報ｉ２、現在設定されているＩＳＯ感度の情報ｉ３、現在の撮影可能枚数の情報ｉ４、現在の撮影モードの情報ｉ５、現在の露出補正量の情報ｉ６、及び、現在のバッテリー残量の情報ｉ７が表示される。
【０３４４】
これらの情報は、規定のレイアウトで表示される。すなわち、各情報は、決められた位置に決められたサイズで表示される。
【０３４５】
（２）リアコマンドダイヤルへの接触が検出された場合の表示
（ａ）接触検出時
図４６は、リアコマンドダイヤルへの接触が検出された場合のサブディスプレーの表示の一例を示す平面図である。
【０３４６】
リアコマンドダイヤルＤ１への指の接触が検出されると、サブディスプレー１６には、リアコマンドダイヤルＤ１のイメージ画像ｉＤ１が出現する。
【０３４７】
リアコマンドダイヤルＤ１のイメージ画像ｉＤ１は、リアコマンドダイヤルＤ１を模した画像で構成され、円形状の画像で構成される。リアコマンドダイヤルＤ１のイメージ画像ｉＤ１の内部には、リアコマンドダイヤルＤ１によって設定変更される項目の設定値が表示される。
【０３４８】
上記のように、リアコマンドダイヤルＤ１には、シャッタースピードを設定する機能が割り当てられている。したがって、リアコマンドダイヤルＤ１のイメージ画像ｉＤ１の内部には、現在設定されているシャッタースピードが表示される。図４６は、現在設定されているシャッタースピードが１／６０秒の場合の例が示されている。
【０３４９】
リアコマンドダイヤルＤ１のイメージ画像ｉＤ１は、リアコマンドダイヤルＤ１の近傍の縁から出現する。本実施の形態のデジタルカメラ１では、リアコマンドダイヤルＤ１がサブディスプレー１６に対して後方に配置されている。したがって、サブディスプレー１６の後方の縁（後方の辺）からリアコマンドダイヤルＤ１のイメージ画像ｉＤ１が出現する。リアコマンドダイヤルＤ１のイメージ画像ｉＤ１は、後方の縁から第１の表示量で出現する。この表示量は、おおよそ全体の１／３程度が表示される量である。
【０３５０】
リアコマンドダイヤルＤ１のイメージ画像ｉＤ１がサブディスプレー１６に出現すると、その表示を避けるようにして、カメラの設定内容ｉＣの表示レイアウトが変更される。すなわち、各項目の情報が、リアコマンドダイヤルＤ１のイメージ画像ｉＤ１と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。
【０３５１】
また、リアコマンドダイヤルＤ１のイメージ画像ｉＤ１がサブディスプレー１６の縁から出現すると、カメラの設定内容ｉＣとして表示する項目も切り替えられる。すなわち、リアコマンドダイヤルＤ１によって設定される項目の情報が除かれて、カメラの設定内容ｉＣが表示される。したがって、本例の場合、シャッタースピードの設定値の情報が除かれて、カメラの設定内容ｉＣが表示される。これにより、重複表示を排除できる。
【０３５２】
（ｂ）操作時の表示
図４７は、リアコマンドダイヤルへの接触が一定時間以上継続して検出された場合のサブディスプレーの表示の一例を示す平面図である。リアコマンドダイヤルＤ１が回転操作された場合も同様の表示となる。
【０３５３】
リアコマンドダイヤルＤ１への指の接触が検出された後、そのまま継続して接触が検出され続けると、あるいは、リアコマンドダイヤルＤ１が回転操作されると、サブディスプレー１６の縁から現れたリアコマンドダイヤルＤ１のイメージ画像ｉＤ１が、更に縁から進み出て大きく表示される。
【０３５４】
これにより、サブディスプレー１６を見ながらリアコマンドダイヤルＤ１を用いて簡単にシャッタースピードの設定ができる。
【０３５５】
（３）フロントコマンドダイヤルへの接触が検出された場合の表示
（ａ）接触検出時
図４８は、フロントコマンドダイヤルへの接触が検出された場合のサブディスプレーの表示の一例を示す平面図である。
【０３５６】
フロントコマンドダイヤルＤ２への指の接触が検出されると、サブディスプレー１６には、フロントコマンドダイヤルＤ２のイメージ画像ｉＤ２が出現する。
【０３５７】
フロントコマンドダイヤルＤ２のイメージ画像ｉＤ２は、フロントコマンドダイヤルＤ２を模した画像で構成され、円形状の画像で構成される。フロントコマンドダイヤルＤ２のイメージ画像ｉＤ２の内部には、フロントコマンドダイヤルＤ２によって設定変更される項目の設定値が表示される。
【０３５８】
上記のように、フロントコマンドダイヤルＤ２には、ＩＳＯ感度を設定する機能が割り当てられている。したがって、フロントコマンドダイヤルＤ２のイメージ画像ｉＤ２の内部には、現在設定されているＩＳＯ感度が表示される。図４８は、現在設定されているＩＳＯ感度がＩＳＯ４００の場合の例が示されている。
【０３５９】
フロントコマンドダイヤルＤ２のイメージ画像ｉＤ２は、フロントコマンドダイヤルＤ２の近傍の縁から出現する。本実施の形態のデジタルカメラ１では、フロントコマンドダイヤルＤ２がサブディスプレー１６に対して前方に配置されている。したがって、サブディスプレー１６の前方の縁（前方の辺）からフロントコマンドダイヤルＤ２のイメージ画像ｉＤ２が出現する。フロントコマンドダイヤルＤ２のイメージ画像ｉＤ２は、前方の縁から第１の表示量で出現する。この表示量は、おおよそ全体の１／３程度が表示される量である。
【０３６０】
フロントコマンドダイヤルＤ２のイメージ画像ｉＤ２がサブディスプレー１６に出現すると、その表示を避けるようにして、カメラの設定内容ｉＣの表示レイアウトが変更される。すなわち、各項目の情報が、フロントコマンドダイヤルＤ２のイメージ画像ｉＤ２と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。
【０３６１】
また、フロントコマンドダイヤルＤ２のイメージ画像ｉＤ２がサブディスプレー１６の縁から出現すると、カメラの設定内容ｉＣとして表示する項目も切り替えられる。すなわち、フロントコマンドダイヤルＤ２によって設定される項目の情報が除かれて、カメラの設定内容ｉＣが表示される。したがって、本例の場合、ＩＳＯ感度の情報が除かれて、カメラの設定内容ｉＣが表示される。これにより、重複表示を排除できる。
【０３６２】
（ｂ）操作時の表示
図４９は、フロントコマンドダイヤルへの接触が一定時間以上継続して検出された場合のサブディスプレーの表示の一例を示す平面図である。フロントコマンドダイヤルＤ２が回転操作された場合も同様の表示となる。
【０３６３】
フロントコマンドダイヤルＤ２への指の接触が検出された後、そのまま継続して接触が検出され続けると、あるいは、フロントコマンドダイヤルＤ２が回転操作されると、サブディスプレー１６の縁から現れたフロントコマンドダイヤルＤ２のイメージ画像ｉＤ２が、更に縁から進み出て大きく表示される。
【０３６４】
これにより、サブディスプレー１６を見ながらフロントコマンドダイヤルＤ２を用いて簡単にＩＳＯ感度の設定ができる。
【０３６５】
（４）天面コマンドダイヤルへの接触が検出された場合の表示
（ａ）接触検出時
図５０は、天面コマンドダイヤルへの接触が検出された場合のサブディスプレーの表示の一例を示す平面図である。
【０３６６】
天面コマンドダイヤルＤ３への指の接触が検出されると、サブディスプレー１６には、天面コマンドダイヤルＤ３のイメージ画像ｉＤ３が出現する。
【０３６７】
天面コマンドダイヤルＤ３のイメージ画像ｉＤ３は、天面コマンドダイヤルＤ３を模した画像で構成され、円形状の画像で構成される。天面コマンドダイヤルＤ３のイメージ画像ｉＤ３の内部には、天面コマンドダイヤルＤ３によって設定変更される項目の設定値が表示される。
【０３６８】
上記のように、天面コマンドダイヤルＤ３には、露出補正量を設定する機能が割り当てられている。したがって、天面コマンドダイヤルＤ３のイメージ画像ｉＤ３の内部には、現在設定されている露出補正量が表示される。図５０は、現在設定されている露出補正量が＋２の場合の例が示されている。
【０３６９】
天面コマンドダイヤルＤ３のイメージ画像ｉＤ３は、天面コマンドダイヤルＤ３の近傍の縁から出現する。本実施の形態のデジタルカメラ１では、天面コマンドダイヤルＤ３がサブディスプレー１６に対して右側に配置されている。したがって、サブディスプレー１６の右側の縁（右側の辺）から天面コマンドダイヤルＤ３のイメージ画像ｉＤ３が出現する。天面コマンドダイヤルＤ３のイメージ画像ｉＤ３は、右側の縁から第１の表示量で出現する。この表示量は、おおよそ全体の１／３程度が表示される量である。
【０３７０】
天面コマンドダイヤルＤ３のイメージ画像ｉＤ３がサブディスプレー１６に出現すると、その表示を避けるようにして、カメラの設定内容ｉＣの表示レイアウトが変更される。すなわち、各項目の情報が、天面コマンドダイヤルＤ３のイメージ画像ｉＤ３と重なって表示されないように、表示位置及びサイズが調整される。したがって、カメラの設定内容ｉＣの表示は余白領域に行われる。この際、各項目の情報が、できるだけ大きなサイズで表示されるように、表示位置及び表示サイズが調整される。
【０３７１】
また、天面コマンドダイヤルＤ３のイメージ画像ｉＤ３がサブディスプレー１６の縁から出現すると、カメラの設定内容ｉＣとして表示する項目も切り替えられる。すなわち、天面コマンドダイヤルＤ３によって設定される項目の情報が除かれて、カメラの設定内容ｉＣが表示される。したがって、本例の場合、露出補正量の情報が除かれて、カメラの設定内容ｉＣが表示される。これにより、重複表示を排除できる。
【０３７２】
（ｂ）操作時の表示
図５１は、天面コマンドダイヤルへの接触が一定時間以上継続して検出された場合のサブディスプレーの表示の一例を示す平面図である。天面コマンドダイヤルＤ３が回転操作された場合も同様の表示となる。
【０３７３】
天面コマンドダイヤルＤ３への指の接触が検出された後、そのまま継続して接触が検出され続けると、あるいは、天面コマンドダイヤルＤ３が回転操作されると、サブディスプレー１６の縁から現れた天面コマンドダイヤルＤ３のイメージ画像ｉＤ３が、更に縁から進み出て大きく表示される。
【０３７４】
これにより、サブディスプレー１６を見ながら天面コマンドダイヤルＤ３を用いて簡単に露出補正量の設定ができる。
【０３７５】
このように、カメラボディ１０に複数の操作ダイヤルを備える場合、各操作ダイヤルの接触又は操作に応じて、サブディスプレー１６の表示を切り替える。
【０３７６】
なお、上記実施の形態では、各操作ダイヤルのイメージ画像を表示する際、縁から出現させているが、既定の位置に出現させてもよい。また、上記各実施の形態で説明した変形例は、本実施の形態でも適用可能である。
【０３７７】
〔その他の実施の形態〕
［表示部の他の実施の形態］
上記実施の形態では、表示部を構成するサブディスプレーを反射型のＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０３７８】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０３７９】
また、サブディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０３８０】
［操作ダイヤルをロックする手段の他の例］
上記実施の形態では、操作ダイヤルを電子的にロックする構成としているが、メカニカルにロックする構成としてもよい。
【０３８１】
また、電子的にロックする場合において、そのロック及びロックの解除を指示する方法は、上記実施の形態のものに限定されるものではない。たとえば、押込み操作が可能な操作ダイヤルの場合、押込み操作によって、ロック及びロック解除を指示してもよい。
【０３８２】
［操作ダイヤルの他の実施の形態］
操作ダイヤルをカメラボディに内蔵し、その外周の一部をカメラボディから露出して配置する場合、操作ダイヤルに押圧操作の機能を備えてもよい。押圧操作とは、操作ダイヤルを軸と直交する方向に押し込む操作のことである。そして、操作ダイヤルが押圧操作機能を備える場合、回転操作された場合と同様に、押圧操作に応じてサブディスプレーの表示を切り替える構成としてもよい。
【０３８３】
［接触を検出する手段の他の例］
上記実施の形態では、操作ダイヤルの接触を検出する手段として、タッチセンサーを使用しているが、操作ダイヤルへの接触を検出する手段は、これに限定されるものではない。たとえば、操作ダイヤルに対して指が一定距離近づいたことを非接触式のセンサーで検出して、間接的に操作ダイヤルへの指の接触を検出する構成としてもよい。
【０３８４】
図５２は、リアコマンドダイヤルへの指の近接を検出するセンサーを備えたデジタルカメラの背面図である。
【０３８５】
同図に示すように、リアコマンドダイヤルＤ１の近傍に指の近接を検出するセンサーＳＤ１が備えられる。センサーＳＤ１は、たとえば、近接センサーで構成される。近接センサーの方式は、誘導型、静電容量型、超音波型、電磁波型、赤外線型など、いずれの方式でもよい。センサーＳＤ１は、指が一定距離以上近づくと、オンになる。したがって、センサーＳＤ１がオンになったことを検出することにより、リアコマンドダイヤルＤ１に指が近接したことを検出できる。
【０３８６】
［カメラの他の実施の形態］
上記実施の形態では、本発明をデジタルカメラに適用した場合を例に説明したが、本発明の適用は、これに限定されるものではない。銀塩フイルムを使用したカメラにも同様に適用できる。この他、回転式の操作ダイヤルを組み込んだ電子機器にも適用できる。
【０３８７】
また、上記実施の形態では、レンズ交換式のカメラに本発明を適用した場合を例に説明したが、レンズ一体式のカメラにも同様に適用できる。
【０３８８】
更に、上記実施の形態では、ノンレフレックス型のカメラに本発明を適用した場合を例に説明したが、レフレックス型のカメラにも同様に適用できる。
【符号の説明】
【０３８９】
１  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３４  再生ボタン
３５  消去ボタン
３６  ＡＦロックボタン
３７  ＡＥロックボタン
３８  メニューボタン
３９  セレクターボタン
４０  表示ボタン
４１  モードダイヤル
４１ａ  指標
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７４  操作部
７８  メモリーカード
８０  システムコントローラー
１１０  操作対象設定部
１１２  設定変更部
１１４  サブディスプレー表示制御部
Ｄ１  リアコマンドダイヤル
Ｄ１ａ  リアコマンドダイヤルの操作検出部
Ｄ１ｂ  リアコマンドダイヤルのタッチセンサー
Ｄ１ｏ  リアコマンドダイヤルの回転軸
Ｄ２  フロントコマンドダイヤル
Ｄ３  天面コマンドダイヤル
ＤＬ１  リアコマンドダイヤルロックスイッチ
ＳＤ１  センサー
Ｌ  光軸
ｉ１  シャッタースピードの情報
ｉ２  絞り値の情報
ｉ３  ＩＳＯ感度の情報
ｉ４  撮影可能枚数の情報
ｉ５  撮影モードの情報
ｉ６  露出補正量の情報
ｉ７  バッテリー残量の情報
ｉＣ  カメラの設定内容
ｉＤ１  リアコマンドダイヤルのイメージ画像
ｉＤ２  フロントコマンドダイヤルのイメージ画像
ｉＤ３  天面コマンドダイヤルのイメージ画像
ｉＩ１  指標のイメージ画像
ｍＤ１  マーク
Ｓ１０〜Ｓ１９  サブディスプレーの表示制御の処理手順
Ｓ３０〜Ｓ４５  サブディスプレーの表示制御の処理手順
【図１】
0006694070.tif 000002
【図２】
0006694070.tif 000003
【図３】
0006694070.tif 000004
【図４】
0006694070.tif 000005
【図５】
0006694070.tif 000006
【図６】
0006694070.tif 000007
【図７】
0006694070.tif 000008
【図８】
0006694070.tif 000009
【図９】
0006694070.tif 000010
【図１０】
0006694070.tif 000011
【図１１】
0006694070.tif 000012
【図１２】
0006694070.tif 000013
【図１３】
0006694070.tif 000014
【図１４】
0006694070.tif 000015
【図１５】
0006694070.tif 000016
【図１６】
0006694070.tif 000017
【図１７】
0006694070.tif 000018
【図１８】
0006694070.tif 000019
【図１９】
0006694070.tif 000020
【図２０】
0006694070.tif 000021
【図２１】
0006694070.tif 000022
【図２２】
0006694070.tif 000023
【図２３】
0006694070.tif 000024
【図２４】
0006694070.tif 000025
【図２５】
0006694070.tif 000026
【図２６】
0006694070.tif 000027
【図２７】
0006694070.tif 000028
【図２８】
0006694070.tif 000029
【図２９】
0006694070.tif 000030
【図３０】
0006694070.tif 000031
【図３１】
0006694070.tif 000032
【図３２】
0006694070.tif 000033
【図３３】
0006694070.tif 000034
【図３４】
0006694070.tif 000035
【図３５】
0006694070.tif 000036
【図３６】
0006694070.tif 000037
【図３７】
0006694070.tif 000038
【図３８】
0006694070.tif 000039
【図３９】
0006694070.tif 000040
【図４０】
0006694070.tif 000041
【図４１】
0006694070.tif 000042
【図４２】
0006694070.tif 000043
【図４３】
0006694070.tif 000044
【図４４】
0006694070.tif 000045
【図４５】
0006694070.tif 000046
【図４６】
0006694070.tif 000047
【図４７】
0006694070.tif 000048
【図４８】
0006694070.tif 000049
【図４９】
0006694070.tif 000050
【図５０】
0006694070.tif 000051
【図５１】
0006694070.tif 000052
【図５２】
0006694070.tif 000053